(57)【要約】  ユーザ機器（ＵＥ）のための無線アクセスネットワーク（ＲＡＮ）通知領域（ＲＮＡ）の管理方法が開示される。前記方法は、前記ＵＥによって、第１無線アクセスネットワーク（ＲＡＮ）通知領域（ＲＮＡ）の構成を有する第１無線リソース制御（ＲＲＣ）メッセージを受信するステップと、前記ＵＥがＲＲＣ接続状態にあるとき、ＲＲＣ非アクティブ状態にあるとき、またはＲＲＣ非アクティブ状態とＲＲＣ接続状態との間を遷移するとき、前記ＵＥによって、前記第１ＲＮＡ構成を格納するステップと、前記ＵＥが前記ＲＲＣ非アクティブ状態にあるとき、前記ＵＥによって、前記第１ＲＮＡ構成に基づいてＲＮＡ更新手続を適用するステップとを含む。
2021502785.tif 000002
【特許請求の範囲】
【請求項１】
ユーザ機器（ＵＥ）のための無線アクセスネットワーク（ＲＡＮ）通知領域（ＲＮＡ）の管理方法であって、
前記ＵＥによって、第１ＲＮＡ構成を有する第１無線リソース制御（ＲＲＣ）メッセージを受信するステップと、
前記ＵＥがＲＲＣ非アクティブ状態からＲＲＣ接続状態に遷移した後に、前記ＵＥによって、前記第１ＲＮＡ構成を格納するステップと、
前記ＵＥが別のＲＮＡ構成を受信しなければ、前記ＵＥが前記ＲＲＣ接続状態から前記ＲＲＣ非アクティブ状態に遷移した後に、前記ＵＥによって、前記第１ＲＮＡ構成を格納するステップと、
前記ＵＥが前記ＲＲＣ非アクティブ状態にあるとき、前記ＵＥによって、前記第１ＲＮＡ構成に基づいてＲＮＡ更新手続を適用するステップと、を含む方法。
【請求項２】
前記第１ＲＮＡ構成は、
（１）複数のセルアイデンティティ（複数のＩＤ）のリスト、
（２）複数のＲＡＮエリアコード（複数のＲＡＮＡＣ）のリスト、または、
（３）複数のトラッキングエリアコード（複数のＴＡＣ）のリスト、のうち少なくとも１つを備える、請求項１に記載の方法。
【請求項３】
前記第１ＲＲＣメッセージは、ＲＲＣ接続中断メッセージまたはＲＮＡ更新応答メッセージである、請求項１に記載の方法。
【請求項４】
前記ＲＮＡ更新手続は、周期的に、または前記ＵＥが前記第１ＲＮＡ構成によって定義されるＲＮＡから外に移動するとき、トリガされる、請求項１に記載の方法。
【請求項５】
前記ＵＥによって、第２ＲＮＡ構成を有する第２ＲＲＣメッセージを受信するステップと、
前記ＵＥによって、第３ＲＮＡ構成を形成するように、前記第２ＲＮＡ構成に基づいて前記第１ＲＮＡ構成を更新するステップと、
前記ＵＥが前記ＲＲＣ非アクティブ状態にあるとき、前記ＵＥによって、前記第３ＲＮＡ構成に基づいて前記ＲＮＡ更新手続を適用するステップと、をさらに含む、請求項１に記載の方法。
【請求項６】
前記第２ＲＮＡ構成は、
（ａ）前記第１ＲＮＡ構成に追加される１つまたは複数のセルアイデンティティ（ＩＤ）、
（ｂ）前記第１ＲＮＡ構成に追加される１つまたは複数のＲＡＮＡＣ、または、
（ｃ）前記第１ＲＮＡ構成に追加される１つまたは複数のＴＡＣ、のうち少なくとも１つを備える、請求項５に記載の方法。
【請求項７】
前記第２ＲＮＡ構成は、
（ａ）前記第１ＲＮＡ構成から削除される１つまたは複数のセルアイデンティティ（ＩＤ）、
（ｂ）前記第１ＲＮＡ構成から削除される１つまたは複数のＲＡＮＡＣ、または、
（ｃ）前記第１ＲＮＡ構成から削除される１つまたは複数のＴＡＣ、のうち少なくとも１つを備える、請求項５に記載の方法。
【請求項８】
前記ＵＥによって、第２ＲＮＡ構成を有する第２ＲＲＣメッセージを受信するステップと、
前記ＵＥによって、前記第１ＲＮＡ構成を前記第２ＲＮＡ構成で上書きするステップと、
前記ＵＥが前記ＲＲＣ非アクティブ状態にあるとき、前記ＵＥによって、前記第２ＲＮＡ構成に基づいて前記ＲＮＡ更新手続を適用するステップと、をさらに含む、請求項１に記載の方法。
【請求項９】
前記ＵＥによって、ＲＮＡ構成を有さない第３ＲＲＣメッセージを受信するステップと、
前記ＵＥが前記ＲＲＣ非アクティブ状態にあるとき、前記ＵＥによって、前記第１ＲＮＡ構成に基づいて前記ＲＮＡ更新手続を適用するステップと、をさらに含む、請求項１に記載の方法。
【請求項１０】
前記第１、第２、または第３ＲＮＡ構成のうちの少なくとも１つが、アクセス層（ＡＳ）コンテキスト内に、前記ＵＥによって格納される、請求項５に記載の方法。
【請求項１１】
基地局のための無線アクセスネットワーク（ＲＡＮ）通知領域（ＲＮＡ）の管理方法であって、
前記基地局によって、ユーザ機器（ＵＥ）のための第１ＲＮＡ構成を構成するステップと、
前記基地局によって、第１無線リソース制御（ＲＲＣ）メッセージを介して前記ＵＥに前記第１ＲＮＡ構成を送信するステップと、
前記基地局によって、前記第１ＲＮＡ構成を格納するステップと、
前記ＵＥがＲＲＣ非アクティブ状態にあるとき、前記基地局によって、前記第１ＲＮＡ構成に基づいてＲＡＮページング手続を適用するステップと、を含む方法。
【請求項１２】
前記第１ＲＮＡ構成は、
（１）複数のセルアイデンティティ（複数のＩＤ）のリスト、
（２）複数のＲＡＮエリアコード（複数のＲＡＮＡＣ）のリスト、または、
（３）複数のトラッキングエリアコード（複数のＴＡＣ）のリスト、のうち少なくとも１つを備える、請求項１１に記載の方法。
【請求項１３】
前記ＲＲＣメッセージは、ＲＲＣ接続中断メッセージまたはＲＮＡ更新応答メッセージである、請求項１１に記載の方法。
【請求項１４】
前記基地局によって、第２ＲＮＡ構成を有する第２ＲＲＣメッセージを送信するステップと、
前記基地局によって、第３ＲＮＡ構成を形成するように、前記第２ＲＮＡ構成に基づいて前記ＵＥの前記第１ＲＮＡ構成を更新するステップと、
前記ＵＥが前記ＲＲＣ非アクティブ状態にあるとき、前記基地局によって、前記第３ＲＮＡ構成に基づいて前記ＲＡＮページング手続を適用するステップと、をさらに含む、請求項１１に記載の方法。
【請求項１５】
前記第２ＲＮＡ構成は、
（ａ）前記第１ＲＮＡ構成に追加される１つまたは複数のセルアイデンティティ（ＩＤ）、
（ｂ）前記第１ＲＮＡ構成に追加される１つまたは複数のＲＡＮＡＣ、または、
（ｃ）前記第１ＲＮＡ構成に追加される１つまたは複数のＴＡＣ、のうちの少なくとも１つを備える、請求項１４に記載の方法。
【請求項１６】
前記第２ＲＮＡ構成は、
（ａ）前記第１ＲＮＡ構成から削除される１つまたは複数のセルアイデンティティ（ＩＤ）、
（ｂ）前記第１ＲＮＡ構成から削除される１つまたは複数のＲＡＮＡＣ、または、
（ｃ）前記第１ＲＮＡ構成から削除される１つまたは複数のＴＡＣ、のうちの少なくとも１つを備える、請求項１４に記載の方法。
【請求項１７】
前記基地局によって、第２ＲＮＡ構成を有する第２ＲＲＣメッセージを送信するステップと、
前記基地局によって、前記第１ＲＮＡ構成を前記第２ＲＮＡ構成で上書きするステップと、
前記ＵＥが前記ＲＲＣ非アクティブ状態にあるとき、前記基地局によって、前記第２ＲＮＡ構成に基づいて前記ＲＡＮページング手続を適用するステップと、をさらに含む、請求項１１に記載の方法。
【請求項１８】
前記基地局によって、ＲＮＡ構成を有さない第３ＲＲＣメッセージを前記ＵＥに送信するステップと、
前記ＵＥが前記ＲＲＣ非アクティブ状態にあるとき、前記基地局によって、前記第１ＲＮＡ構成に基づいて前記ＲＡＮページング手続を適用するステップと、をさらに含む、請求項１１に記載の方法。
【請求項１９】
前記第１、第２、または第３ＲＮＡ構成の少なくとも１つが、前記ＵＥのアクセス層（ＡＳ）コンテキスト内に前記基地局によって格納される、請求項１４に記載の方法。
【請求項２０】
前記ＵＥのハンドオーバ手続中に、前記基地局によって、前記ＵＥのＡＳコンテキストの一部として前記第１ＲＮＡ構成を、１つまたは複数のハンドオーバ準備情報信号内で１つまたは複数のターゲット基地局に送信するステップをさらに含む、請求項１１に記載の方法。
【発明の詳細な説明】
【発明の詳細な説明】
【０００１】
〔関連出願とのクロスレファレンス〕
本出願は、２０１７年１１月１６日に出願された「Ｅｆｆｉｃｉｅｎｔ  ＲＡＮ  Ｎｏｔｉｆｉｃａｔｉｏｎ  Ａｒｅａ  Ｃｏｎｆｉｇｕｒａｔｉｏｎ  Ａｐｐｒｏａｃｈｅｓ」という名称の米国特許仮出願第６２／５８７，０１８号、代理人整理番号ＵＳ７２３１８（以下、「ＵＳ７２３１８出願」と呼ぶ）の利益および優先権を主張する。ＵＳ７２３１８出願の開示は、参照により本出願に完全に組み込まれる。
〔技術分野〕
本開示は、概論的には無線通信に関し、より詳細には、次世代無線通信ネットワークのための効率的な無線アクセスネットワーク（ＲＡＮ）通知領域（ＲＮＡ）の構成および管理に関する。
〔背景技術〕
第３世代パートナーシップ・プロジェクト（３ＧＰＰ）は、次世代（例えば、第５世代（５Ｇ））無線通信ネットワークのために、新しい無線リソース制御（ＲＲＣ）状態：ＲＲＣ＿ＩＮＡＣＴＩＶＥ（ＲＲＣ非アクティブ）状態を導入した。ＲＲＣ＿ＩＮＡＣＴＩＶＥ状態は、許容可能なアクセス遅延で電力節約を達成することを目的とし、マシンタイプ通信（ＭＴＣ）シナリオのような小さなデータ伝送にとりわけ適している。ＵＥがＲＲＣ＿ＩＮＡＣＴＩＶＥ状態にあるとき、５Ｇ無線アクセスネットワーク（５Ｇ−ＲＡＮ）（例えば、次世代無線アクセスネットワーク（ＮＧ−ＲＡＮ）および／または５Ｇコアネットワークに接続する他の３ＧＰＰ／非３ＧＰＰアクセスネットワークを含む）およびＵＥは、（アクセス層（ＡＳ）コンテキストおよび非アクセス層（ＮＡＳ）コンテキストを含み得る）ＵＥの「ＵＥコンテキスト」を別々に格納する。さらに、ＵＥがＲＲＣ＿ＩＮＡＣＴＩＶＥ状態にあるとき、５Ｇ−ＲＡＮは次世代コアネットワーク（例えば、５Ｇコアネットワーク（５ＧＣ））との接続を維持するが、ＵＥは５Ｇ−ＲＡＮとのＲＲＣ接続を有さない。ＲＲＣ＿ＩＮＡＣＴＩＶＥ状態の他の特性は議論中である。例えば、ＲＲＣ＿ＩＮＡＣＴＩＶＥ状態では、コアネットワークと無線アクセスネットワークとの間の接続を維持することができる。無線アクセスネットワークは、複数のＲＲＣ＿ＩＮＡＣＴＩＶＥ  ＵＥ（すなわち、ＲＲＣ＿ＩＮＡＣＴＩＶＥ状態にあるＵＥ）のＲＡＮベースのページング手続をトリガすることができ、専用無線リソースはＵＥには割り当てられない。
【０００２】
ＲＡＮベースの通知領域（ＲＮＡ）は、次世代コアネットワーク（例えば、５ＧＣ）および５Ｇ−ＲＡＮ（例えば、次世代無線アクセスネットワーク）が、ＲＲＣ＿ＩＮＡＣＴＩＶＥ  ＵＥの大まかな位置を知ることを可能にし得る。ＲＮＡは、１つまたは複数のセル、１つまたは複数のＲＡＮエリア、１つまたは複数のトラッキングエリアを含む。しかしながら、ＲＮＡがセル、ＲＡＮエリア、またはトラッキングエリアの組み合わせであり得るかどうかは、議論されていない。ＲＮＡは、ＵＥに固有であり、専用の信号を使用して５Ｇ−ＲＡＮによって（例えば、１つ以上の次世代ノードＢ（ｇＮＢ）および／または１以上の次世代進化ノードＢ（ｎｇ−ｅＮＢ）を持つＮＧ−ＲＡＮによって）構成可能である。また、ＣＮまたはＲＡＮがＲＲＣ＿Ｉｎａｃｔｉｖｅ  ＵＥとデータまたは制御信号を交換したいとき、無線アクセスネットワークは、ＵＥのＲＮＡ内のＲＲＣ＿ＩＮＡＣＴＩＶＥ  ＵＥのためのＲＡＮページング手続をトリガする。したがって、次世代無線アクセスネットワーク（例えば、５Ｇ−ＲＡＮ）が、構成されたＲＮＡの外へ移動するＲＲＣ＿ＩＮＡＣＴＩＶＥ  ＵＥを認識することが重要である。そのため、５Ｇ−ＲＡＮは、ＲＲＣ＿ＩＮＡＣＴＩＶＥ  ＵＥのＲＮＡを更新する。ＲＮＡはトラッキングエリアよりも小さい、等しい、または大きいので、ＲＮＡ更新は、コアネットワークレベル位置更新またはトラッキングエリア更新とは異なってもよいことに留意されたい。全体として、ＲＲＣ＿ＩＮＡＣＴＩＶＥ  ＵＥは、コアネットワーク（例えば、５ＧＣ）および／または無線アクセスネットワーク（例えば、５Ｇ−ＲＡＮ）において、最小信号、最小電力消費、および最小リソースコストを生じ得る。
【０００３】
ＲＡＮベースのページング手続（ＲＡＮページング手続としても知られる）では、アンカーｇＮＢ（例えば、ＲＲＣ＿ＩＮＡＣＴＩＶＥ  ＵＥのＵＥコンテキストを格納し、ＵＥの５ＧＣとの接続を維持するｇＮＢ）は、ターゲットＵＥのＵＥアイデンティティ（例えば、ＲＲＣ再開ＩＤ）を含むＲＡＮベースのページングメッセージを、バックホール接続を介してＵＥのＲＡＮベースの通知領域内のすべてのセルに送信する。そして、これらのセルは、ブロードキャスト信号を介してページングメッセージを配信する。一方、ＲＲＣ＿ＩＮＡＣＴＩＶＥ  ＵＥは、ＲＡＮによってブロードキャストされたページングメッセージを連続的に監視し、復号する必要がある。ＲＲＣ＿ＩＮＡＣＴＩＶＥ  ＵＥは、ＵＥのＲＲＣ再開ＩＤを含む（少なくとも）１つのページングメッセージを正常に復号した後、ＲＡＮが自身をページングしていることを認識することができる。いくつかの実施形態では、ＵＥは、実質的に同じ手続を介してＣＮおよびＲＡＮによってトリガされたページングメッセージを受信することができる。しかしながら、ＣＮおよびＲＡＮは、ページングメッセージに含まれる異なるＵＥアイデンティティを使用することによって同じＵＥをページングする。そのため、ＵＥは、ＵＥアイデンティティを識別することによって、ＵＥがＣＮまたはＲＡＮによってページングされるかどうかを依然として識別または決定することができる。ＲＲＣ＿ＩＮＡＣＴＩＶＥ  ＵＥは、ＵＥがＲＡＮによってページングされることを認識または決定した後に、ＲＲＣ再開手続をトリガすることができる。上述のＲＡＮベースのページング手続に基づいて、ＲＲＣ＿ＩＮＡＣＴＩＶＥ  ＵＥがアンカーｇＮＢに通知することなくＵＥの構成されたＲＮＡを離れる場合、ＲＡＮベースのページング手続は失敗することが認識され得る。
【０００４】
ＵＥがＲＲＣ＿ＩＮＡＣＴＩＶＥ状態にあるとき、ＵＥは、コアネットワークおよび５Ｇ−ＲＡＮに通知することなく、そのＲＮＡ内で移動することができる。さらに、適切なモビリティ管理がなければ、ＵＥが５Ｇ−ＲＡＮに通知せずにＲＮＡの外へ移動するとき、ＲＲＣ＿ＩＮＡＣＴＩＶＥ  ＵＥのＵＥコンテキストを格納し、ＵＥの５ＧＣとの接続を維持するｇＮＢであるアンカーｇＮＢは、ＲＲＣ＿ＩＮＡＣＴＩＶＥ  ＵＥを見つけることができない。その結果、ＲＲＣ＿ＩＮＡＣＴＩＶＥ  ＵＥは、ＲＲＣ休止状態に遷移し得る。したがって、ＵＥは、５Ｇ−ＲＡＮへのＲＲＣ接続を迅速に再確立または再開することができない。さらに、ＵＥの移動速度が速いか、またはＲＮＡが小さい場合、ＵＥコンテキスト転送およびＲＮＡ更新はより頻繁になり、より多くのオーバヘッドを引き起こす可能性がある。さらに、ＤＬ／ＵＬデータ伝送のためのＵＥコンテキストを必要としない、一方のｇＮＢから他方のｇＮＢへの頻繁なＵＥコンテキスト伝送を招くことは、ＵＥおよび５Ｇ−ＲＡＮの両方に余分なオーバヘッドを引き起こす可能性もある。
【０００５】
したがって、当技術分野では、ターゲットｇＮＢがＲＮＡの外にあり、ＵＥコンテキストまたはＣＮへの接続を予め有していない場合であっても、ＲＮＡ更新手続が開始されたＵＥが、アンカーｇＮＢにＲＲＣ＿ＩＮＡＣＴＩＶＥ  ＵＥがそのＲＮＡの外へ移動したことを通知し、ＵＥコンテキスト情報をＲＮＡの少なくとも１つのｇＮＢ内に保持し、かつ／またはＲＲＣ＿ＩＮＡＣＴＩＶＥ  ＵＥがパケット送受信のためにターゲットｇＮＢとのＲＲＣ接続を迅速に再確立または再開することを可能にする必要がある。
〔発明の概要〕
本開示は、次世代無線通信ネットワークのためのＲＮＡ構成および管理に関する。
〔図面の簡単な説明〕
例示的な開示の態様は、添付の図面と共に読まれるとき、以下の詳細な説明から最も良く理解される。様々な特徴は、一定の縮尺で描かれておらず、様々な特徴の寸法は議論を明確にするために任意に増減されてもよい。
【０００６】
図１は、本出願の例示的な実施形態による、第１ＲＮＡ中のアンカーｇＮＢから第２ＲＮＡ中の単一のアシスタントｇＮＢを通って第２ＲＮＡ中のターゲットｇＮＢに向かって移動するＲＲＣ＿ＩＮＡＣＴＩＶＥ  ＵＥの概略図を示す。
【０００７】
図２は、本出願の例示的な実施形態による、次世代無線アクセスネットワーク内でＵＥが受けることができる様々なＲＲＣ状態遷移手続を示すＲＲＣ状態遷移図である。
【０００８】
図３Ａは、本出願の例示的な実施形態による、ＵＥ側およびサービングセル側の両方でＵＥコンテキストの一部としてＲＮＡ選択肢およびＲＮＡ構成を格納するための、２ステップランダムアクセス手続によって達成されるＲＲＣ再開手続を示す図である。
【０００９】
図３Ｂは、本出願の例示的な実施形態による、ＵＥ側およびサービングセル側の両方でＵＥコンテキストの一部としてＲＮＡ選択肢およびＲＮＡ構成を格納するための、４ステップランダムアクセス手続によって達成されるＲＲＣ再開手続を示す図である。
【００１０】
図３Ｃは、本出願の例示的な実施形態による、ＵＥ位置に関する既存のＲＮＡと更新されたＲＮＡとの間の重複部分を示す図である。
【００１１】
図４は、本出願の例示的な実施形態による、既存のＲＮＡ構成を有するＲＲＣ非アクティブ状態に遷移するＵＥと、ＲＲＣ状態遷移および複数のサービングｇＮＢの変化に関わらず、ＲＮＡ構成を再利用するための手続との一実施例を示す図である。
【００１２】
図５は、本出願の例示的な実施形態による、ＲＡＮ内の他方のｇＮＢとのＲＲＣ接続状態に遷移する、ＲＡＮ内の一方のｇＮＢによって接続および提供されるＵＥと、ＲＲＣ接続／非アクティブ状態遷移およびサービングｇＮＢの変化に関わらず、ＲＮＡ構成を再使用するための手続との一実施例を示す図である。
【００１３】
図６は、本出願の例示的な実施形態による、ＵＥ、ＲＡＮ、およびＣＮの間の関係と、ＣＮが既存のＲＮＡ選択肢およびＲＮＡ構成に基づいて更新されたトラッキングエリア構成を提供するための手続とを示す図である。上記関係において、ＣＮは、トラッキングエリア構成（例えば、ＴＡＩ（トラッキングエリア識別子）、またはトラッキングエリアＩＤとして知られているもの）を更新するようにＵＥに指示するために、バックホール接続を介してＵＥコンテキストを取得する。
【００１４】
図７は、本出願の例示的な実施形態による、トラッキングエリア構成の一実施例を示す図である。
【００１５】
図８は、本出願の例示的な実施形態による、ＲＮＡ選択肢およびＲＮＡ構成を有するＲＲＣリリースメッセージの一実施例を示す図である。
【００１６】
図９は、本出願の例示的な実施形態による、ＲＲＣリリースメッセージの一実施例を示す図である。
【００１７】
図１０は、本出願の例示的な実施形態による、ＲＮＡ構成更新のためのデルタシグナリングを適用するＲＲＣ再開応答の一実施例を示す図である。
【００１８】
図１１は、本出願の例示的な実施形態による、ＲＮＡマッチング手続を示す図である。
【００１９】
図１２は、本出願の例示的な実施形態による、ＲＮＡ構成の一実施例を示す図である。
【００２０】
図１３は、本出願の例示的な実施形態による、セルアイデンティティリスト、ＲＡＮエリアＩＤリスト、および／またはトラッキングエリアＩＤリストの任意の組合せを有するＲＮＡ構成の一実施例を示す図である。
【００２１】
図１４は、本出願の例示的な実施形態による、ＲＮＡＴｏＡｄｄＭｏｄＬｉｓｔおよびＲＮＡＴｏＲｅｍｏｖｅＬｉｓｔの一実施例を示す図である。
【００２２】
図１５は、本出願の例示的な実施形態による、ＵＥのハンドオーバ準備手続中に、ＲＲＣ接続状態にあるＵＥに対する既存のＲＮＡ構成が、バックホール接続を介してソースセルからターゲットセルに送信されることを示す図である。
【００２３】
図１６Ａは、本出願の例示的な実施形態による、ＵＥのためのＲＮＡ管理方法のフローチャートである。
【００２４】
図１６Ｂは、本出願の例示的な実施形態による、基地局のためのＲＮＡ管理方法のフローチャートである。
【００２５】
図１７は、本出願の様々な態様による、無線通信のためのノードのブロック図を示す。
〔詳細な説明〕
以下の説明は、本開示における例示的な実施形態に関連する特定の情報を含む。本開示における図面およびそれらの添付の詳細な説明は、単に例示的な実施形態に向けられている。しかし、本開示は、これらの例示的な実施形態のみに限定されるものではない。本開示の他の変形および実施形態は、当業者には想起されるであろう。特に断らない限り、図中の同様のまたは対応する要素は、同様のまたは対応する参照番号によって示されてもよい。さらに、本開示における図面および例示は、概して、一定の縮尺ではなく、実際の相対的な寸法に対応することを意図していない。
【００２６】
一貫性および理解の容易さのために、同様の特徴は（いくつかの例では、図示されていないが）、例示的な図では数字によって識別される。しかし、異なる実施形態における特徴は、他の点で異なっていてもよく、したがって、図面に示されるものに狭く限定されるものではない。
【００２７】
本明細書では、「一実施形態では」または「いくつかの実施形態では」という語句を使用するが、これらの語句はそれぞれ、同じ実施形態または異なる実施形態のうちの１つまたは複数を指すことがある。「結合された(coupled)」という用語は、直接的であろうと、介在する構成要素を介して間接的であろうと、接続されたものとして定義され、必ずしも物理的接続に限定されない。「〜を備える（comprising）」という用語が使用される場合、[〜を含む（include）が、必ずしもこれに限定されない]ことを意味する。特に、そのように記載された組み合わせ、グループ、シリーズ、および均等物におけるオープンエンドの包含またはメンバーシップを示す。
【００２８】
さらに、説明および非限定の目的のために、機能エンティティ、技法、プロトコル、標準などの特定の詳細が、説明される技術の理解を提供するために記載される。他の例では、不必要な詳細で説明を不明瞭にしないように、周知の方法、技術、システム、アーキテクチャなどの詳細な説明は省略される。
【００２９】
当業者は、本開示に記載されている任意のネットワーク機能またはアルゴリズムが、ハードウェア、ソフトウェア、またはソフトウェアとハードウェアとの組み合わせによって実行されてもよいことを直ちに理解するだろう。記載された機能は、ソフトウェア、ハードウェア、ファームウェア、またはこれらの任意の組み合わせであり得るモジュールに対応してもよい。ソフトウェアのインプリメンテーションは、例えばメモリまたは他の種類の記憶装置などのコンピュータ読み取り可能な媒体に記憶されたコンピュータ実行可能命令を含んでもよい。例えば、通信処理能力を有する１つ以上のマイクロプロセッサまたは汎用コンピュータは、対応する実行可能命令でプログラム化され、記載されているネットワーク機能またはアルゴリズムを実行してもよい。上記マイクロプロセッサまたは汎用コンピュータは、特定用途向け集積回路（ＡＳＩＣ）、プログラマブルロジックアレイでできていてもよい、および／または、１つ以上のデジタルシグナルプロセッサ（ＤＳＰ）を用いてもよい。本明細書に記載されている例示的な実施態様のうちのいくつかがコンピュータハードウェアにインストールされ、該ハードウェア上で実行されるソフトウェアを対象としているが、ファームウェアとして、あるいは、ハードウェアまたはハードウェアとソフトウェアとの組み合わせとして実行される代替の例示的な実施態様は十分、本開示の範囲内である。
【００３０】
コンピュータ読み取り可能な媒体としては、ランダムアクセスメモリ（ＲＡＭ）、読取り専用メモリ（ＲＯＭ）、消去可能プログラマブル読取り専用メモリ（ＥＰＲＯＭ）、電気的消去可能プログラマブル読取り専用メモリ（ＥＥＰＲＯＭ、登録商標））、フラッシュメモリ、コンパクトディスク読取り専用メモリ（ＣＤ  ＲＯＭ）、磁気カセット、磁気テープ、磁気ディスク記憶装置、またはコンピュータ読み取り可能な命令を記憶することができる任意の他の同等の媒体が挙げられるが、これらに限定されない。
【００３１】
無線通信ネットワークアーキテクチャ（例えば、ロングタームエボリューション（ＬＴＥ）システム、ＬＴＥアドバンスト（ＬＴＥ−Ａ）システム、ＬＴＥアドバンストＰｒｏシステム、または５Ｇ新無線（ＮＲ）無線通信ネットワーク）は、少なくとも１つの基地局、少なくとも１つのユーザ装置（ＵＥ）、およびネットワークへの接続を提供する１つ以上の任意のネットワーク要素を典型的に含む。上記ＵＥは、上記ネットワーク（例えば、コアネットワーク（ＣＮ）、進化型パケットコア（ＥＰＣ）ネットワーク、発展型ユニバーサル無線地上波アクセス（Ｅ−ＵＴＲＡ）ネットワーク、５Ｇコア（５ＧＣ）またはインターネット）と、１つ以上の基地局によって設定された無線アクセスネットワーク（ＲＡＮ）を通じて、通信する。
【００３２】
本出願において、ＵＥとしては、移動局、携帯端末または携帯機器、ユーザ通信無線端末が挙げられるが、これらに限定されないことに留意されたい。例えば、ＵＥは、携帯無線装置であってもよく、該携帯無線装置としては、無線通信能力を有する携帯電話、タブレット、ウェアラブルデバイス、センサ、または個人用デジタル補助装置（ＰＤＡ）が挙げられるが、これらに限定されない。上記ＵＥは、無線アクセスネットワークにおける１つ以上のセルと、電波インタフェース上で、信号を送受信するよう構成されている。
【００３３】
基地局は、ＵＭＴＳにおけるようなノードＢ（ＮＢ）、ＬＴＥ−Ａにおけるような発展型ノードＢ（ｅＮＢ）、ＵＭＴＳにおけるような無線ネットワークコントローラ（ＲＮＣ）、ＧＳＭ／ＧＥＲＡＮにおけるような基地局コントローラ（ＢＳＣ）、５ＧＣに関連するＥ−ＵＴＲＡ基地局におけるようなｎｇ−ｅＮＢ、５Ｇ−ＡＮにおけるような次世代ノードＢ（ｇＮＢ）、およびセル内の無線通信を制御し、無線リソースを管理することができる任意の他の装置を含むことができるが、これらに限定されない。基地局は、ネットワークへの無線インタフェースを介して１つまたは複数のＵＥにサービスを提供するように接続することができる。
【００３４】
基地局は、以下の無線アクセス技術（ＲＡＴ）のうち少なくとも１つに従って、通信サービスを提供するように構成されてもよい。上記無線アクセス技術（ＲＡＴ）としては、マイクロ波アクセスのための世界相互運用性（ＷｉＭＡＸ）、グローバルモバイル通信システム（ＧＳＭ（登録商標）、２Ｇと称されることが多い）、ＧＳＭ  ＥＤＧＥ無線アクセスネットワーク（ＧＥＲＡＮ）、汎用パケット無線システム（ＧＲＰＳ）、基本広帯域符号分割多元接続（Ｗ−ＣＤＭＡ）に基づいたユニバーサル・モバイル・テレコミュニケーション・システム（ＵＭＴＳ、３Ｇと称されることが多い）、高速パケットアクセスシステム（ＨＳＰＡ）、ＬＴＥ、ＬＴＥ−Ａ、ｅＬＴＥ（ｅｖｏｌｖｅｄ  ＬＴＥ）、ニューラジオ（ＮＲ、５Ｇと称されることが多い）および／またはＬＴＥ−Ａ  Ｐｒｏが挙げられる。しかし、本出願の範囲は、上述のプロトコルに限定すべきではない。
【００３５】
基地局は、無線アクセスネットワークを形成する複数のセルを使用して、特定の地理的エリアに無線カバレッジを提供するように動作可能である。基地局は、セルの動作をサポートする。各セルは、その無線カバレッジ内の少なくとも１つのＵＥにサービスを提供するように動作可能である。より具体的には、各セル（しばしばサービングセルと称される）は、その無線カバレッジ内の１つまたは複数のＵＥにサービスを提供する（例えば、各セルは、ダウンリンクおよび任意でアップリンクパケット送信のために、その無線カバレッジ内の少なくとも１つのＵＥにダウンリンクおよび任意でアップリンクリソースをスケジューリングする）。基地局は、複数のセルを介して無線通信システム内の１つまたは複数のＵＥと通信することができる。セルは、近接サービス（ＰｒｏＳｅ）あるいはＶｅｈｉｃｌｅ  ｔｏ  Ｅｖｅｒｙｔｈｉｎｇ（Ｖ２Ｘ）サービスをサポートするために、サイドリンク（ＳＬ）リソースを割り当ててもよい。各セルは、他のセルと重複するカバー領域を有してもよい。
【００３６】
上述のように、ＮＲのフレーム構造は、高信頼性、高データ速度、および低レイテンシ要件を満たしながら、拡張モバイルブロードバンド（ｅＭＢＢ）、大規模マシンタイプ通信（ｍＭＴＣ）、超信頼通信、および低レイテンシ通信（ＵＲＬＬＣ）などの様々な次世代（例えば、５Ｇ）通信要件に対応するためのフレキシブルな構成をサポートする。３ＧＰＰで合意された直交周波数分割多重（ＯＦＤＭ）技術は、ＮＲ波形のための基準として機能してもよい。アダプティブサブキャリアスペーシング、チャネル帯域幅、およびサイクリックプレフィックス（ＣＰ）などのスケーラブルＯＦＤＭ数秘学も使用してもよい。さらに、ＮＲには（１）低密度パリティ検査（ＬＤＰＣ）符号および（２）ポーラ符号の２つの符号化方式が考えられる。符号化スキーム適応は、チャネル条件および／またはサービスアプリケーションに基づいて構成され得る。
【００３７】
さらに、単一のＮＲフレームの送信時間間隔ＴＸ、ダウンリンク（ＤＬ）送信データ、ガード期間、およびアップリンク（ＵＬ）送信データが少なくとも含まれるべきであり、ＤＬ送信データ、ガード期間、ＵＬ送信データのそれぞれの部分もまた、例えば、ＮＲのネットワークダイナミクスに基づいて構成可能であるべきであると考えられる。さらに、サイドリンクリソースは、ＰｒｏＳｅサービスあるいはＶ２ＸサービスをサポートするためにＮＲフレームで提供されてもよい。
【００３８】
本出願の様々な実施形態では、サービングｇＮＢ内のＵＥコンテキストは、接続確立時または前回のトラッキングエリア更新時のいずれかに提供されたローミングおよびアクセス制限に関する情報を含む。ＵＥコンテキストは、ＵＥ総合最大ビットレート、受信ハンドオーバ制限リスト、受信ＵＥセキュリティ能力、受信セキュリティキーなどを含むことができるが、これらに限定されない。さらに、Ｉ−ＲＮＴＩ（非アクティブ無線ネットワーク一次識別子）は、予め定義された領域（例えば、公有地モバイルネットワーク（ＰＬＭＮ）またはＵＥに対して構成されたＲＮＡ）内のＲＲＣ＿ＩＮＡＣＴＩＶＥ  ＵＥのＵＥコンテキストを識別するために使用される固有の識別である。本出願の様々な実施において、Ｉ−ＲＮＴＩは、ＲＲＣ再開ＩＤに含まれてもよい。本出願の様々な実施において、Ｉ−ＲＮＴＩは、ＲＲＣ＿ＩＮＡＣＴＩＶＥ  ＵＥのＵＥコンテキストを識別するために必要な情報を含んでいてもよい。必要な情報（例えば、アンカーｇＮＢのセルアイデンティティ、およびサービングｇＮＢがＵＥのアンカーｇＮＢを認識するためのＵＥアイデンティティ）も、ＲＲＣ再開ＩＤに含めることができる。いくつかの他の実施形態では、一方がフルＩ−ＲＮＴＩであり、他方がショートＩ−ＲＮＴＩ（フルＩ−ＲＮＴＩのトランケーション）である２つのＩ−ＲＮＴＩ値がＵＥに構成され得る。ＲＲＣ再開手続の間、ＵＥは、ＲＲＣ再開要求メッセージの使用可能なサイズ（６４ビットまたは４８ビットなど）に基づいて、ＵＥが適用できるＩ−ＲＮＴＩ（フルＲＮＴＩまたはショートＩ−ＲＮＴＩ）を決定する。
【００３９】
本出願の様々な実施形態では、アンカーｇＮＢは、ＵＥがＲＲＣ＿ＩＮＡＣＴＩＶＥ状態に遷移する前の、ＵＥの前回のサービングｇＮＢであり得る。アンカーｇＮＢは、ＵＥコンテキストと、コアネットワークとのＵＥ関連接続（例えば、サービングＡＭＦ（アクセスおよびモビリティ管理機能）および／またはＵＰＦ（ユーザプレーン機能）とを保持することができる。ＲＲＣ＿ＩＮＡＣＴＩＶＥ状態にあるＵＥは、接続管理（ＣＭ）−ＣＯＮＮＥＣＴＥＤに留まることができ、ＲＡＮ（例えば、５Ｇ−ＲＡＮ）に通知することなくＲＮＡ内で移動することができる。しかしながら、ＲＲＣ＿ＩＮＡＣＴＩＶＥ  ＵＥが、アンカーｇＮＢが位置するＲＮＡの外へ移動するとき、ＲＲＣ＿ＩＮＡＣＴＩＶＥ  ＵＥはとりわけ、アンカーｇＮＢに通知するために、ＲＮＡ更新手続を開始することができる。いくつかの他の実施形態では、ＲＲＣ＿ＩＮＡＣＴＩＶＥ  ＵＥが、アンカーｇＮＢが適応しているＲＮＡ内で移動するとき、いくつかの状況（たとえば、タイマが満了する状況）ではＲＲＣ＿ＩＮＡＣＴＩＶＥ  ＵＥがとりわけ、ＲＮＡ更新手続を開始して、ＲＲＣ＿ＩＮＡＣＴＩＶＥ  ＵＥが現在留まっているＲＮＡ内のアンカーｇＮＢまたは別のｇＮＢに通知することができる。いくつかの追加の実施形態では、ＲＲＣ＿ＩＮＡＣＴＩＶＥ  ＵＥが、アンカーｇＮＢが適応しているＲＮＡの外へ移動するとき、ＲＲＣ＿ＩＮＡＣＴＩＶＥ  ＵＥはとりわけ、ＲＲＣ＿ＩＮＡＣＴＩＶＥ  ＵＥが現在留まっているｇＮＢに通知するために、ＲＮＡ更新手続を開始することができる。
【００４０】
本出願の様々な実施形態では、アシスタントｇＮＢは、アンカーｇＮＢ以外のｇＮＢであってもよい。ＲＲＣ＿ＩＮＡＣＴＩＶＥ  ＵＥは、アシスタントｇＮＢに留まることができる。アシスタントｇＮＢは、アンカーｇＮＢが位置するＲＮＡと同じＲＮＡ中にあっても、異なるＲＮＡ中にあってもよい。アシスタントｇＮＢは、アシスタントｇＮＢのカバー範囲におけるＵＥの存在をアンカーｇＮＢに通知してもよい。次いで、アシスタントｇＮＢは、アンカーｇＮＢからＵＥのＵＥコンテキストを取得してもよい。アンカーｇＮＢからＵＥコンテキストを取得した後、アシスタントｇＮＢは、ＵＥのＲＮＡ構成を有することができる。ここで、ＲＮＡ構成は、セルアイデンティティのリスト、ＲＡＮエリアアイデンティティ（ＲＡＮ  Ａｒｅａ  ＩＤ）のリスト、トラッキングエリアアイデンティティ（ＴＡＩ）のリスト、またはそれらの任意の組合せを含む。アシスタントｇＮＢは、とりわけ、ＵＥに対するＲＮＡ構成を更新してもよい。他の実施形態では、アシスタントｇＮＢは、元のアンカーｇＮＢを置き換えて、ＲＲＣ＿ＩＮＡＣＴＩＶＥ  ＵＥの新しいアンカーｇＮＢとすることができる。
【００４１】
いくつかの実施態様では、ＲＮＡ構成における１つ以上のセルアイデンティティは、１つの特定のＰＬＭＮアイデンティティにさらに関連付けられてもよい。いくつかの実施形態では、ＲＮＡ構成内の各ＲＡＮエリアＩＤは、１つのトラッキングエリアコード（ＴＡＣ）に関連付けられた１つのＲＡＮエリアコード（ＲＡＮＡＣ）を含む。さらに、１つまたは複数のＲＡＮエリアＩＤは、１つのＰＬＭＮアイデンティティにさらに関連付けられ得る。いくつかの実施態様では、ＲＮＡ構成内の各トラッキングエリアＩＤが１つのトラッキングエリアコード（ＴＡＣ）を含む。さらに、トラッキングエリアコードは、ＴＡＩ内の１つのＰＬＭＮアイデンティティに関連付けられ得る。したがって、１つのＲＡＮエリアＩＤは、（１つのＴＡＩに関連付けることによって）１つのＰＬＭＮアイデンティティにさらに関連付けることができる。ＲＮＡ構成において１つのＰＬＭＮアイデンティティに明示的に関連付けられていないセルアイデンティティ＼ＲＡＮエリアＩＤ＼トラッキングエリアＩＤについては、セルアイデンティティ＼ＲＡＮエリアＩＤ＼トラッキングエリアＩＤは、登録されたＵＥのＰＬＭＮに暗黙的に関連付けられる。
【００４２】
ターゲットｇＮＢは、アンカーｇＮＢ以外のｇＮＢであってもよい。ＲＲＣ＿ＩＮＡＣＴＩＶＥ  ＵＥは、ターゲットｇＮＢに留まることができる。ターゲットｇＮＢは、アンカーｇＮＢが位置するＲＮＡの中にあっても、ＲＮＡの外にあってもよい。ＲＲＣ＿ＩＮＡＣＴＩＶＥ  ＵＥは、ターゲットｇＮＢへのアクセスを試みることができる。アンカーｇＮＢからＲＲＣ＿ＩＮＡＣＴＩＶＥ  ＵＥのＵＥコンテキストを（例えば、１つまたは複数のアシスタントｇＮＢを介して、またはアシスタントｇＮＢなしで）正常に取り出すと、ターゲットｇＮＢは、ダウンリンク（ＤＬ）および／またはアップリンク（ＵＬ）送信のためのＵＥのサービングｇＮＢになり得る。本出願の様々な実施形態では、アンカーｇＮＢまたはターゲットｇＮＢのいずれかが、アシスタントｇＮＢであってもよいことに留意されたい。
【００４３】
図１は、本出願の例示的な実施形態による、第１ＲＮＡ中のアンカーｇＮＢから第２ＲＮＡ中の単一のアシスタントｇＮＢを通って第２ＲＮＡ中のターゲットｇＮＢに向かって移動するＲＲＣ＿ＩＮＡＣＴＩＶＥ  ＵＥの概略図を示す。図１に示すように、無線通信システム１００は、ユーザ機器（ＵＥ）１０２と、ｇＮＢカバー領域１１２を有するアンカーｇＮＢ１０４と、ｇＮＢカバー領域１１４を有するアシスタントｇＮＢ１０６と、ｇＮＢカバー領域１１８を有するＵＥ１０２のターゲットｇＮＢ１１０とを含む。ここで、アンカーｇＮＢ１０４と、アシスタントｇＮＢ１０６と、ターゲットｇＮＢ１１０とは、次世代コアネットワーク（例えば、５ＧＣ）などのコアネットワーク（ＣＮ）１３０にアクセスすることができる。アンカーｇＮＢ１０４は、第１ＲＡＮベースの通知領域ＲＮＡ１内にあり、アシスタントｇＮＢ１０６およびターゲットｇＮＢ１１０は、ＲＮＡ１とは異なる第２ＲＡＮベースの通知領域ＲＮＡ２内にあることに留意されたい。例示的な本実施形態では、ＲＮＡ１およびＲＮＡ２は、隣接するＲＡＮベースの通知領域である。他の例示的な実施形態では、ＲＮＡ１およびＲＮＡ２は、直接隣接するＲＡＮベースの通知領域でなくてもよい。実施形態において、ＲＮＡ１は、アンカーｇＮＢ１０４によって構成され、ＲＮＡ２はＵＥ１０２がＲＮＡ１から移動した後にＲＮＡ１を置き換えるように、アシスタントｇＮＢ１０６によって構成される。
【００４４】
図２は、本出願の例示的な実施形態による、次世代無線アクセスネットワーク内でＵＥが受けることができる様々なＲＲＣ状態遷移手続を示すＲＲＣ状態遷移図である。ＲＲＣ状態遷移図２００は、ＲＲＣ＿ＣＯＮＮＥＣＴＥＤ（ＲＲＣ接続）状態２６２、ＲＲＣ＿ＩＮＡＣＴＩＶＥ（ＲＲＣ非アクティブ）状態２６４、およびＲＲＣ＿ＩＤＬＥ（ＲＲＣ休止）状態２６６を含む。図示のように、ＵＥは、様々な手続ａ、ｂ、ｃ、ｄ、およびｅを介して、ＲＲＣ＿ＣＯＮＮＥＣＴＥＤ状態２６２、ＲＲＣ＿ＩＮＡＣＴＩＶＥ状態２６４、およびＲＲＣ＿ＩＤＬＥ状態２６６の間で遷移し得る。ＲＲＣ状態遷移図２００では、ＵＥは、ＲＲＣ＿ＩＤＬＥ状態２６６からＲＲＣ＿ＩＮＡＣＴＩＶＥ状態２６４に直接遷移することができないことに留意されたい。すなわち、ＲＲＣ＿ＩＮＡＣＴＩＶＥ状態２６４は、常にＲＲＣ＿ＣＯＮＮＥＣＴＥＤ状態２６２の後に来る。例えば、ＵＥはＲＲＣ中断手続（例えば、手続ｃ）を介して、ＲＲＣ＿ＣＯＮＮＥＣＴＥＤ状態２６２からＲＲＣ＿ＩＮＡＣＴＩＶＥ状態２６４に遷移することができる。逆に、ＵＥはＲＲＣ再開手続（例えば、手続ｄ）を介して、ＲＲＣ＿ＩＮＡＣＴＩＶＥ状態２６４からＲＲＣ＿ＣＯＮＮＥＣＴＥＤ状態２６２に遷移することができる。
【００４５】
本出願の様々な実施形態によれば、ＲＲＣ再開手続は、２ステップまたは４ステップのランダムアクセス手続によって実現されてもよい。
【００４６】
図３Ａは、本出願の例示的な実施形態による、ＲＲＣ再開手続に基づいて、とりわけＲＲＣ状態（例えば、ＲＮＡ構成および／またはＲＲＣ再開ＩＤ）を更新するために、ＲＲＣ＿ＩＮＡＣＴＩＶＥ  ＵＥ（例えば、ＵＥ３０２）とＲＲＣ＿ＩＮＡＣＴＩＶＥ  ＵＥのサービングセル（サービングセル３１０）との間で実行される無線リソース制御（ＲＲＣ）のためのＲＲＣ再開手続を示す。本実施形態では、ＲＲＣ再開手続は、２ステップランダムアクセス手続によって達成され得る。
【００４７】
図３Ａに示すように、図３００Ａは、ＵＥ３０２およびサービングセル３１０を含む。動作３２０において、ＵＥ３０２は、（メッセージＡ（ＭＳＧＡ）を介して）ＲＲＣ再開要求メッセージと共にプリアンブル（例えば、ランダムアクセスプリアンブル）をサービングセル３１０に送信することができる。動作３２２において、サービングセル３１０がＭＳＧＡを正常に復号した場合、サービングセル３１０は、（メッセージＢ（ＭＳＧＢ）を介して）ランダムアクセス応答をＵＥ３０２に送信することができる。サービングセル３１０からのＲＲＣ再開応答に基づいて、ＵＥ３０２は、ＲＲＣ＿ＩＮＡＣＴＩＶＥ状態からＲＲＣ＿ＣＯＮＮＥＣＴＥＤ状態に遷移するか、ＲＲＣ＿ＩＮＡＣＴＩＶＥ状態からＲＲＣ＿ＩＤＬＥ状態に遷移するか、またはＲＲＣ＿ＩＮＡＣＴＩＶＥ状態に留まることができる。
【００４８】
図３Ｂは、本出願の例示的な実施形態による、ＲＲＣ再開手続に基づいて、とりわけＲＲＣ状態（例えば、ＲＮＡ構成またはＲＲＣ再開ＩＤ）を更新するために、ＲＲＣ＿ＩＮＡＣＴＩＶＥ  ＵＥ（例えば、ＵＥ３０２）とＲＲＣ＿ＩＮＡＣＴＩＶＥ  ＵＥのサービングセル（サービングセル３１０）との間で実行される無線リソース制御（ＲＲＣ）のためのＲＲＣ再開手続を示す。本実施形態では、ＲＲＣ再開手続は、４ステップランダムアクセス手続によって達成され得る。
【００４９】
図３Ｂに示すように、図３００Ｂは、ＵＥ３０２およびサービングセル３１０を含む。動作３５０において、ＵＥ３０２は、（ＭＳＧ１を介して）サービングセル３１０にプリアンブル（例えば、ランダムアクセスプリアンブル）を送信することができる。動作３５２において、サービングセル３１０は、サービングセル３１０がＭＳＧ１を正常に復号した場合、（ＭＳＧ２において）ランダムアクセス応答をＵＥ３０２に送信することができる。ＭＳＧ２では、サービングセル３１０は、ＵＥ３０２がＭＳＧ３を配信するためのアップリンク無線リソース情報（例えば、ＲＲＣ接続再開要求のようなメッセージ、ＲＲＣ接続再開要求メッセージ、ＲＲＣ再開要求メッセージ）を送信することもできる。動作３５４において、ＵＥ３０２は、所与のアップリンク無線リソースを介してＭＳＧ３におけるＲＲＣ再開要求をサービングセル３１０に配信することができる。動作３５６において、サービングセル３１０は、ＲＲＣ再開応答をＵＥ３０２に送信することができる。サービングセル３１０からのＲＲＣ再開応答に基づいて、ＵＥ３０２は、ＲＲＣ＿ＩＮＡＣＴＩＶＥ状態からＲＲＣ＿ＣＯＮＮＥＣＴＥＤ状態に遷移するか、ＲＲＣ＿ＩＮＡＣＴＩＶＥ状態からＲＲＣ＿ＩＤＬＥ状態に遷移するか、またはＲＲＣ＿ＩＮＡＣＴＩＶＥ状態に留まることができる。
【００５０】
ＲＡＮでは、複数のセルは、複数のセルアイデンティティ（関連するＰＬＭＮアイデンティティと共に）および／またはＲＡＮエリアＩＤ（複数可）および／またはトラッキングエリアＩＤ（複数可）をブロードキャストする。したがって、ＲＡＮからブロードキャスト信号を受信すると、ＵＥは、サービングセルがＵＥのＲＮＡ内に依然として位置しているかどうかを識別することができる。
【００５１】
ＲＲＣ＿ＩＮＡＣＴＩＶＥ状態にあるＵＥ３０２は、図３Ｂに示されるランダムアクセス手続における動作３５０の前に、または図３Ａに示されるランダムアクセス手続における動作３２０の前に、「既存のＲＮＡ構成」で既に構成されていてもよい。既存のＲＮＡ構成は、ＲＮＡ構成の更新および管理を可能にするのを助けるために、異なるＲＮＡ選択肢で構成されてもよい。
【００５２】
一実施態様では、既存のＲＮＡ構成がセルのリストを含むことができ、各セルはセルアイデンティティによって表される。
【００５３】
別の実施態様では、既存のＲＮＡ構成は、ＲＡＮエリアＩＤのリストを含むことができる。例えば、それぞれのＲＡＮエリアＩＤは、ＲＡＮＡＣ（ＲＡＮエリアコード）に関連付けられたトラッキングエリアＩＤによって表され得る。トラッキングエリアＩＤは、ＰＬＭＮにおけるコアネットワークの登録エリアである。各ＰＬＭＮの登録エリアは、対応するＰＬＭＮアイデンティティを有する異なるトラッキングエリアコードによって識別され得る。ＲＮＡ信号は、１つ以上のＰＬＭＮのトラッキングエリアＩＤの複数のリストを含み得る。各登録エリアについて、登録エリアに関連付けられた１つまたは複数のＲＡＮＡＣも存在し得る。
【００５４】
さらに別の実施態様では、既存のＲＮＡ構成は、トラッキングエリアＩＤのリストを含むことができる。トラッキングエリアＩＤのリストは、複数のＴＡＩのリストを有するが、トラッキングエリアＩＤのリストのためのＲＡＮＡＣを有さないＲＮＡ信号伝達のサブセットであり得る。
【００５５】
図３Ｂに示すように、ＲＲＣ再開応答は、ＲＮＡ構成更新などのＲＮＡ更新を含み得る。動作３５６において、ＲＲＣ再開応答を受信した後のＵＥ３０２のＲＲＣ状態にかかわらず、既存のＲＮＡは、依然としてＵＥ３０２にとって有効であり得る。
【００５６】
ＵＥ３０２がＲＲＣ＿ＩＮＡＣＴＩＶＥ状態からＲＲＣ＿ＣＯＮＮＥＣＴＥＤ状態に遷移すると、ＲＡＮは、既存のＲＮＡ構成を格納するようにＵＥ３０２に命令してもよい。したがって、ＵＥ３０２において、既存のＲＮＡ構成は、ＵＥコンテキストの一部であり得る。ＲＡＮは、ＵＥ３０２にＲＲＣ＿ＩＮＡＣＴＩＶＥ状態に移行するように命令すると、次に、格納されたＲＮＡ構成に基づいて、新しいまたは更新されたＲＮＡ構成を再構成することができる。いくつかの他の実施形態では、ＲＡＮおよびＵＥは、ＵＥのＲＲＣ状態遷移中にＲＡＮからＵＥへのさらなる命令なしに、既存のＲＮＡ構成を自動的に記憶することができる。
【００５７】
図３Ｂの動作３５６または図３Ａの動作３２２においてＲＲＣ再開応答メッセージを受信した後に、ＵＥ３０２がＲＲＣ＿ＩＮＡＣＴＩＶＥ状態を維持しているとき、ＲＡＮは、既存のＲＮＡ構成に基づいて新しいＲＮＡ構成を構成するか、または既存のＲＮＡ構成を再使用して新しいＲＮＡ構成を生成することができる。いくつかの実施形態では、図３Ｂの動作３５６または図３Ａの動作３２２において、ＲＲＣ再開応答メッセージ内に更新されたＲＮＡ構成がない場合、ＲＡＮおよびＵＥは、ＲＡＮからＵＥへのさらなる命令なしに、既存のＲＮＡ構成を自動的に維持することができる。
【００５８】
既存のＲＮＡ構成に基づくＲＮＡ更新は、シグナリングオーバヘッドを減少させる点で有益であり得る。例えば、ＵＥ３０２は、ＲＲＣ＿ＩＮＡＣＴＩＶＥ状態にとどまっている間、非周期的／周期的なＲＮＡ更新を行うことができる。移動性の低いＲＲＣ＿ＩＮＡＣＴＩＶＥ  ＵＥの場合、既存のＲＮＡ構成が依然として再使用可能であるか、または少しの変更しか必要としない可能性がより高い。
【００５９】
また、トラッキングエリア管理において、既存のトラッキングエリアの一部は、トラッキングエリア更新後に更新されたトラッキングエリアの一部となってもよい。これは、トラッキングエリア更新におけるピンポン効果を防止することができる。
【００６０】
図３Ｃは、ＵＥの位置が既存のＲＮＡに対して変化したとき、既存のＲＮＡと更新されたＲＮＡとの間の重複部分の一実施例を示す。図３Ｃに示すように、ＵＥ３０２は、ＲＲＣ＿ＩＮＡＣＴＩＶＥ状態にある間に、位置Ａから位置Ｂに移動し得る。既存のＲＮＡ（例えば、ＲＮＡ３１２）は、ＲＡＮエリアＩＤのリストを含み得る。例えば、ＵＥ３０２が位置ＡでＲＲＣ＿ＩＮＡＣＴＩＶＥ状態に遷移すると、サービング基地局は、既存のＲＮＡ３１２をＵＥ３０２に提供する。一実施形態では、ＵＥ３０２が登録されているＲＡＮエリアＩＤリスト内のすべてのＲＡＮエリアＩＤは、同じサービング基地局またはＲＡＮ内の異なる基地局によって提供され得る。ＵＥ３０２がネットワークに登録すると、基地局は、ＲＡＮエリアＩＤのセットまたはリストをＵＥ３０２に割り当てる。ＵＥ３０２が位置Ａから位置Ｂに移動すると、（例えば、ＲＮＡ管理を有する）別のサービング基地局は、ＵＥ３０２の現在の位置（例えば、位置Ｂ）に基づいて、ＲＡＮエリアＩＤの新しいセット（ＲＡＮエリアＩＤの新しいリスト）を（再び）割り当てる機能を含むことができる。図３Ｃに示すように、位置Ｂにおいて、ＵＥ３０２は、上記の図３Ａおよび図３Ｂを参照して説明したように、別のサービング基地局とＲＲＣ再開手続を実行し、新しいＲＮＡ（例えば、ＲＮＡ３１６）に対応する更新されたＲＮＡ構成を受信することができる。
【００６１】
一実施形態では、図３Ｃに示すように、更新されたＲＮＡ３１６の中心をＵＥ３０２の現在位置（例えば、位置Ｂ）に近づけることによって、ＵＥ３０２が別のＲＮＡを迅速に更新する回数を減らすことができる。また、いくつかの別の実施形態では、既存のＲＮＡ（例えば、ＲＡＮエリアＩＤのリスト）は５ＧＣ内のＡＭＦによって、またはＥＰＣ内のモビリティ管理エンティティ（ＭＭＥ）によって構成され得る。さらに、既存のＲＮＡ構成および更新されたＲＮＡ構成はまた、（関連するＰＬＭＮアイデンティティを伴う）セルアイデンティティリストまたはトラッキングエリアＩＤリストのいずれかであり得る。さらに、既存のＲＮＡ構成および更新されたＲＮＡ構成のＲＮＡ選択肢（すなわち、セルアイデンティティ、ＲＡＮエリアＩＤ、またはトラッキングエリアＩＤ）は、同じである必要はない。
【００６２】
動作３５６または動作３２２においてＲＲＣ再開応答メッセージを受信した後に、ＵＥ３０２がＲＲＣ＿ＩＮＡＣＴＩＶＥ状態からＲＲＣ＿ＩＤＬＥ状態に遷移すると、ＲＡＮは、ＣＮ（例えば、５ＧＣにおけるＡＭＦまたはＥＰＣにおけるＭＭＥ）が（例えば、ＲＲＣ接続リリースメッセージのような）トラッキングエリア構成をＵＥ３０２に転送するのを助けることができる。一実施形態では、トラッキングエリアが既存のＲＮＡと全く同じであってもよい。別の実施形態では、トラッキングエリアは、ＣＮとＲＡＮとの間の相互作用が関与し得る既存のＲＮＡ構成に基づいて生成され得る。本出願の様々な実施形態では、ＲＮＡ構成がＵＥコンテキストの一部とすることができる。したがって、ＣＮとＲＡＮとの間の相互作用は、ＵＥコンテキスト交換を介して達成され得る。本出願の様々な実施形態では、デルタシグナリングは、既存のＲＮＡに基づいて新しい／更新されたトラッキングエリアを構成するために、ネットワーク（例えば、ＣＮまたはＲＡＮ）によって利用され得る。
【００６３】
上記のシナリオに基づいて、いくつかの実施形態を含む以下の２つのケースを以下に提示する。
【００６４】
ケース１：ＵＥおよびＲＡＮの両方がＲＮＡ構成を格納する。
【００６５】
本出願の実施態様では、ＲＮＡ構成は、ＲＲＣ＿ＣＯＮＮＥＣＴＥＤ状態とＲＲＣ＿ＩＮＡＣＴＩＶＥ状態との間のＲＲＣ状態遷移によって影響されず、作用されない。ＵＥおよび／またはＲＡＮは、ＵＥコンテキストにおいてＵＥのＲＮＡ構成（および提供されるときはＲＮＡ選択肢）を格納することができる。
【００６６】
したがって、他の利点の中でもとりわけ、ＲＡＮは、格納されたＲＮＡ構成に基づいて更新された｛ＲＮＡ選択肢、ＲＮＡ構成｝を提供することができる。さらに、デルタシグナリングは、ＲＮＡ構成のシグナリングオーバヘッドを減少させるのに役立ち得る。ＲＮＡ構成はＲＲＣ状態遷移によって影響または作用されないので、ＲＲＣ＿ＩＮＡＣＴＩＶＥ状態とＲＲＣ＿ＣＯＮＮＥＣＴＥＤ状態との間の遷移がＵＥに対して何回行われたとしても、ＵＥは常に既存のＲＮＡ構成を有することができる。したがって、ＲＡＮは、既存のＲＮＡ構成に基づいてＲＮＡ構成の更新を提供することができる。さらに、ＲＮＡ構成は、ハンドオーバ手続によって影響または作用されない。さらに、ＣＮトラッキングエリアは（例えば、トラッキングエリアＩＤのリストに基づいて、ＲＮＡ構成が提供される時に）、最適化可能であってもよい。ＲＡＮ／ＣＮは、ＵＥコンテキスト交換を介してＲＮＡ構成を交換することができる。その結果、ＣＮは、トラッキングエリアＩＤリストへのデルタシグナリングによってトラッキングエリアを構成することができる。
【００６７】
ケース１−１：ＵＥ側とＲＡＮ側の両方でＵＥコンテキストに格納されたＲＮＡ構成およびＲＮＡ選択肢。
【００６８】
図４に示すように、動作４６０において、ＵＥ４０２は、ＲＡＮ４１０とＲＲＣ＿ＣＯＮＮＥＣＴＥＤ（ＲＲＣ接続）状態にある。動作４６２において、（例えば、ＵＥ４０２のサービングｇＮＢ／セルを有する）ＲＡＮ４１０は、ＲＲＣ＿ＩＮＡＣＴＩＶＥ状態に遷移するようにＵＥ４０２に命令するために、（ＲＲＣ中断構成を有する）ＲＲＣ接続リリースメッセージをＵＥ４０２に提供する。さらに、動作４６２におけるＲＲＣ接続リリースメッセージ（例えば、ＲＲＣ中断構成）において、ＲＮＡ選択肢およびＲＮＡ構成を用いて、ＵＥ４０２は構成される。したがって、本実施形態では、ＵＥ４０２およびＲＡＮ４１０はそれぞれ、ＵＥコンテキスト内にＲＮＡ選択肢およびＲＮＡ構成を格納し得る。また、いくつかの実施態様では、ＲＮＡ選択肢は、ＲＮＡ構成のフォーマットによって直接示すことができる（例えば、ＲＮＡ構成はセルアイデンティティリスト、ＲＡＮエリアＩＤリスト、またはＲＮＡ構成内のトラッキングエリアＩＤリストのいずれかであり得る）。したがって、ＲＲＣシグナリング内に特定のＲＮＡ選択肢フィールドがない。
【００６９】
動作４６４において、ＵＥ４０２は、例えば、ＲＮＡ更新を実施するように（例えば、周期的なＲＮＡ更新のために）、ＲＲＣ再開要求をＲＡＮ４１０に送信することができる。動作４６６において、ＲＡＮ４１０のサービングｇＮＢ／セルは、新しいまたは更新されたＲＮＡ選択肢およびＲＮＡ構成をＵＥ４０２に提供することなく、ＲＲＣ再開応答メッセージを提供することができる。そのような場合、ＵＥ４０２は、ＲＲＣ再開応答メッセージを受信した後に、既存のＲＮＡ選択肢およびＲＮＡ構成を依然として適用することができることを暗黙的に知ることができる。ＵＥ４０２がＲＡＮ４１０のカバー範囲内を移動するとき、ＵＥ４０２は、ＲＡＮ４１０内の異なるタイミングで異なるサービングｇＮＢ／セルによってサービス提供され得ることに留意されたい。これらのサービングｇＮＢ／セルはＵＥコンテキストから（例えば、バックホール接続を介して）既存のＲＮＡ選択肢およびＲＮＡ構成を取得することができる。図４に示されるように、｛ＲＮＡ選択肢、ＲＮＡ構成｝は、ＵＥ４０２およびＲＡＮ４１０の両方におけるＵＥコンテキストの一部として格納され得る。
【００７０】
ケース１−２：ＲＲＣ状態遷移とサービングｇＮＢの変化によって影響を受けない再利用可能なＲＮＡ構成。
【００７１】
図５に示すように、動作５６０において、ＵＥ５０２は、ＲＡＮ５１０とＲＲＣ＿ＣＯＮＮＥＣＴＥＤ（ＲＲＣ接続）状態にある。動作５６２において、ＵＥ５０２は、ＲＡＮ５１０のサービングｇＮＢ＃ｉからＲＲＣ接続リリースメッセージを受信しながら、ＲＮＡ構成を受信する。動作５６４において、例えば、ＵＥ５０２は周期的なＲＮＡ更新のために、ＲＲＣ再開要求ＲＡＮ５１０に送信することができる。動作５６６において、ＲＡＮ５１０は、更新されたＲＮＡ構成を伴わずにＲＲＣ再開応答を送信することができる。動作５６８において、ＵＥ５０２は異なるサービングｇＮＢ♯ｊに接続し、次いで、ＲＲＣ＿ＣＯＮＮＥＣＴＥＤ状態に遷移する。図５に示すように、動作５７０において、サービングｇＮＢ＃ｊがＵＥ５０２にＲＲＣ＿ＩＮＡＣＴＩＶＥ状態に遷移するように指示することを望む場合、ＲＡＮのサービングｇＮＢ＃ｊ５１０は、更新されたＲＮＡ構成をＵＥ５０２に提供することができる。更新されたＲＮＡ構成は、動作５７０において、ＲＲＣリリース応答メッセージでＵＥ５０２に提供され得る。デルタシグナリングは、ＲＮＡ構成更新を容易にするために適用され得ることに留意されたい。デルタシグナリングの詳細は、ケース２の実施形態において以下に提供される。図５に示されるように、ＲＮＡ構成は（ＵＥ  ５０２およびＲＡＮ  ５１０の両方によって）再使用されてもよく、動作５７０において、ＵＥがＲＮＡ構成を伴わずにＲＲＣリリース応答メッセージを受信する場合、ＲＮＡ構成は、ＲＲＣ状態遷移およびサービングｇＮＢの変化によって影響または作用されない。
【００７２】
ケース１−３：既存のＲＮＡ選択肢とＲＮＡ構成に基づくＣＮ提供トラッキングエリア構成。
【００７３】
図６に示すように、動作６６０において、ＵＥ６０２は、ＲＡＮ６１０とＲＲＣ＿ＣＯＮＮＥＣＴＥＤ状態にあってもよい。動作６６２において、ＣＮ６３０は、バックホール接続を介してＲＮＡ選択肢およびＲＮＡ構成を取得し得る。動作６６４において、ＵＥ６０２は、ＲＲＣ＿ＩＤＬＥ状態に遷移する。動作６６６において、トラッキングエリア更新が実行されてもよい。ＣＮ６３０は、ＵＥコンテキストに格納されたＲＮＡ構成に基づいて、ＵＥ６０２に対するトラッキングエリアＩＤリストを準備することができる。いくつかの実施形態では、ＣＮ６３０は、既存のＲＮＡを直接適用するようにＵＥ６０２に指示することができる（例えば、動作６６８および６７０）。いくつかの他の実施態様では、ＲＮＡ構成に基づいてデルタシグナリングアプローチを適用することもできる。したがって、トラッキングエリア構成についてのＮＡＳ（非アクセス層）シグナリングは図７に示されるように実施され得る。動作６７２において、ＵＥ６０２はＲＲＣ＿ＩＤＬＥ状態に遷移し得、構成されたトラッキングエリア構成に基づいてトラッキングエリア更新を実施する。
【００７４】
いくつかの実施形態では、図７に示すように、「再利用既存ＲＮＡ＝真」の場合、ＵＥ６０２は、既存のＲＮＡ構成をトラッキングエリアとして適用することができる。そうでない場合、ＵＥ６０２は、既存のＲＮＡ構成と、更新されたＴＡ構成のためのＴＡＴｏＡｄｄｌｉｓｔおよびＴＡＴｏＲｅｍｏｖｅｌｉｓｔとを共同で考慮することによって、トラッキングエリアを生成することができる。ＣＮ６３０は、取得したＲＮＡ選択肢およびＲＮＡ構成に基づいて、セルアイデンティティ（Ｃｅｌｌｉｄｅｎｔｉｔｙ）、ＲＡＮエリアＩＤ（ＲＡＮ  Ａｒｅａ  ＩＤ）、およびトラッキングエリアＩＤ（Ｔｒａｃｋｉｎｇ  Ａｒｅａ  ＩＤ）のフォーマットのうちの１つを選択し得る。図６に示すように、ＣＮ６３０は、既存の｛ＲＮＡ選択肢、ＲＮＡ構成｝に基づいてトラッキングエリア構成を提供することができる。
【００７５】
ケース１−１、１−２、および１−３では、ＵＥは、自身のＲＮＡ構成をＵＥコンテキストに自動的に格納することができる。いくつかの他の実施形態では、ＲＡＮが専用制御シグナリングを介して（たとえば、ＲＲＣシグナリングを介して）既存のＲＮＡ構成を除去するようにＵＥに命令することができる。これは、ｇＮＢが既存のＲＮＡ構成がＵＥにとってもはや使用不可能であることに気付いたときに起こり得る。
【００７６】
ケース２：ＲＮＡ選択肢変更およびＲＮＡ構成アプローチ。
【００７７】
ケース２では、ＲＮＡ選択肢変更のために以下の方法が提供される。第１の方法は、半持続性ＲＮＡ選択肢変更方法である。第２の方法は、動的ＲＮＡ選択肢変更方法である。ＲＮＡ構成更新は、ＲＮＡ選択肢変更方法とは異なることに留意されたい。
【００７８】
半持続性ＲＮＡ選択肢変更方法は、頻繁でないＲＮＡ選択肢変更のために提供される。例えば、ＲＮＡ選択肢は、１つ以上のＰＬＭＮまたは大きなＲＡＮエリアに固定され得る。この条件では、ＲＡＮは、ＲＲＣシグナリングを介して（例えば、ＲＲＣリリースメッセージまたはＲＲＣ再構成メッセージを介して）「ＲＮＡ選択肢」ＩＥを構成することができる。また、ＲＮＡ選択肢は、ＲＡＮがＵＥのＲＮＡ選択肢を変更することを望む場合にのみ、ＲＲＣシグナリングにおいて構成される。次いで、ＲＡＮ内のサービングｇＮＢは、ＲＮＡ構成のフォーマットを指示せずにＲＮＡ構成を提供し得る。ＵＥは、ＵＥコンテキストに格納されたＲＮＡ選択肢に直接基づいて、ＲＮＡ構成を復号することができる。
【００７９】
動的ＲＮＡ選択肢変更方法により、ＲＡＮは、（例えば、ランダムアクセス手続中にＵＥへのＲＲＣ再開応答メッセージによって）ＵＥに対してＲＮＡ選択肢を動的に変更することができる。したがって、ＲＲＣ再開応答メッセージ内にＲＮＡ選択肢フィールドが存在し得る。
【００８０】
上記の２つのＲＮＡ選択肢変更方法の実施形態は、以下のセクションにおいて提供され得る。さらに、追加のオーバヘッドを低減するために、デルタシグナリングも信号設計に適用され得る。
【００８１】
ケース２−１：半持続性ＲＮＡ選択肢変更。
【００８２】
ケース２−１では、ＲＡＮ（例えば、ＵＥのサービングｇＮＢ）はＲＲＣシグナリングを介して（例えば、ＲＲＣリリースメッセージを介して）ＵＥにＲＮＡ選択肢を提供することができる。例えば、初回のＲＮＡ構成またはＲＮＡ選択肢の変更のために、ＲＮＡ選択肢は、（新しいＲＮＡ選択肢に基づく）新しいＲＮＡ構成を有するＲＲＣリリースメッセージにおいて提供されてもよい。
【００８３】
図８に示すように、ＲＲＣリリースメッセージ８００は、ＲＮＡ選択肢およびＲＮＡ構成を含む。ＲＮＡ選択肢（ＲＮＡ  ｏｐｔｉｏｎ）＝ＲＮＡ選択肢１（ＲＮＡ  ｏｐｔｉｏｎ  １）の場合、サービングｇＮＢは、ＲＲＣ再開応答メッセージ内のシーケンス「セルアイデンティティ」（ｓｅｑｕｅｎｃｅ「Ｃｅｌｌｉｄｅｎｔｉｔｙ」）をＲＡＮ通知領域（ＲＡＮ  Ｎｏｔｉｆｉｃａｔｉｏｎ  Ａｒｅａ）に提供することができる。ＲＮＡ選択肢＝ＲＮＡ選択肢２（ＲＮＡ  ｏｐｔｉｏｎ  ２）の場合、サービングｇＮＢはＲＲＣ再開応答メッセージ内のシーケンス「ＲＡＮエリアＩＤ」（ｓｅｑｕｅｎｃｅ「ＲＡＮ  Ａｒｅａ  ＩＤ」）をＲＡＮ通知領域に提供することができる。ＲＮＡ選択肢＝ＲＮＡ選択肢３（ＲＮＡ  ｏｐｔｉｏｎ  ３）の場合、サービングｇＮＢはＲＲＣ再開応答メッセージ内のシーケンス「トラッキングエリアＩＤ」（ｓｅｑｕｅｎｃｅ「Ｔｒａｃｋｉｎｇ  Ａｒｅａ  ＩＤ」）をＲＡＮ通知領域に提供することができる。そうでない場合は、ＲＮＡ構成のみが、ＲＲＣリリースメッセージ（例えば、図９のＲＲＣリリースメッセージ９００）において提供されてもよい。
【００８４】
サービングｇＮＢは、ＵＥコンテキストに格納された既存のＲＮＡ選択肢に基づいて、更新されたＲＮＡ構成を提供する。したがって、ＵＥは、ＲＮＡ構成内のセルアイデンティティ、ＲＡＮエリアＩＤ、またはトラッキングエリアＩＤの各オブジェクトを暗黙的に識別することができる。この実施形態では、ＵＥはＲＲＣシグナリングを介してＲＮＡ選択肢ＩＥを受信すると、既存のＲＮＡ構成を新しいＲＮＡ構成に置き換えることができる。また、ＲＮＡ選択肢およびＲＮＡ構成の両方が、ＵＥコンテキストの一部である。いくつかの実施形態では、（図９に示すように）ＲＮＡ構成のみがＲＲＣリリースメッセージにおいて提供される。さらに、ＵＥは、サービングｇＮＢから更新されたＲＮＡ構成を受信した後に、既存のＲＮＡ構成を上書きすることができる。また、本実施形態では、他のＲＲＣシグナリング（例えば、ＲＲＣ＿ＩＮＡＣＴＩＶＥ  ＵＥがＲＡＮを用いて周期的／イベントトリガＲＮＡ更新を実施するときの、ＲＲＣ再開応答メッセージ）と共に使用することができる。また、本実施形態は、ケース１−２と同様に、ＲＲＣ状態遷移またはサービングｇＮＢの変化に影響または作用されることなく適用可能である。
【００８５】
ケース２−２：デルタシグナリング。
【００８６】
ケース２−２では、ＲＲＣシグナリングにおいてＲＮＡ構成のみが更新される（ＲＮＡ選択肢の変更なし）。このシナリオでは、デルタシグナリングを適用して、シグナリング効率を改善することができる。例えば、２つのＩＥ（例えば、ＲＮＡＴｏＡｄｄＭｏｄＬｉｓｔおよびＲＮＡＴｏＲｅｍｏｖｅＬｉｓｔ）は、更新されたＲＮＡを指示するために、サービングｇＮＢのためのＲＲＣシグナリング（例えば、ＲＲＣリリースメッセージまたはＲＲＣ再開応答メッセージ）を介して一緒に提供されてもよい。
【００８７】
図１０は、本出願の実施形態による、ＲＮＡ構成更新のためのデルタシグナリングを適用するＲＲＣ再開応答の一実施例の内容を示す。
【００８８】
ＲＲＣ再開応答メッセージ１０００において、ＲＮＡＴｏＲｅｍｏｖｅＬｉｓｔは、除去される必要がある既存のＲＮＡ構成の一部を含む。ＲＮＡＴｏＡｄｄＭｏｄＬｉｓｔは、更新されたＲＮＡ構成に追加される必要がある追加のＲＮＡ構成を含む。ＲＮＡＴｏＡｄｄＭｏｄＬｉｓｔおよびＲＮＡＴｏＲｅｍｏｖｅＬｉｓｔのフォーマットは、既存のＲＮＡ選択肢のフォーマットに従う。また、ＲＮＡＴｏＡｄｄＭｏｄＬｉｓｔおよびＲＮＡＴｏＲｅｍｏｖｅＬｉｓｔは、１つのＲＲＣメッセージに共存することができる。いくつかの実施形態では、明示的なリリース指示は、ＲＡＮ通知領域ＩＥ（例えば、ｒｅｌｅａｓｅａｌｌ）に含まれ得る。したがって、ＲＡＮ通知領域ＩＥが「ｒｅｌｅａｓｅａｌｌ」であるときに、サービングｇＮＢは、既存のＲＮＡ構成全体をリリースするようにＵＥに命令することができる。一実施形態では、ＲＡＮ通知領域ＩＥ（例えば、ｒｅｌｅａｓｅａｌｌ）は、１つのＲＲＣシグナリングにおいてＲＮＡＴｏＡｄｄＭｏｄＬｉｓｔを用いて構成することができる。いくつかの実施形態では更新されたＲＮＡ構成に明示的な「ｒｅｌｅａｓｅａｌｌ」ＩＥまたはＲＮＡＴｏＲｅｍｏｖｅＬｉｓｔ  ＩＥはなくてもよい。代わりに、ＲＮＡＴｏＡｄｄＭｏｄＬｉｓｔのみが、更新されたＲＮＡ構成において提供されてもよい。ここでＵＥは、ＲＮＡＴｏＡｄｄＭｏｄＬｉｓｔをＵＥコンテキストにおけるＲＮＡ構成として格納することによって、既存のＲＮＡ構成全体を直接上書きしてもよい。
【００８９】
ケース２−３：ＲＮＡマッチング手続（ケース２及びケース２−１に適用可能）。
【００９０】
ケース２−３では、１つのＲＮＡ選択肢のみがＵＥに構成され得る。格納されたＲＮＡ選択肢およびＲＮＡ構成に基づいて、ＵＥは、サービングセルに留まるたびに、ＲＮＡマッチング手続を実行する必要がある。ＲＡＮの各セルは、システム情報提供を介して、セルアイデンティティ、ＲＡＮＡＣ（任意選択）、およびトラッキングエリアＩＤをブロードキャストすることができる。したがって、ＵＥは、サービングセルからブロードキャストメッセージを受信することによって、これらの情報を取得することができる。ＵＥがサービングセルからＲ＿ＣｅｌｌｉｄｅｎｔｉｔｙおよびＲ＿ＲＡＮＡＣ、Ｒ＿ＴＡＩを受信すると、次いで、格納されたＲＮＡ構成（およびＲＮＡ選択肢）に基づいて、ＵＥは、図１１のＲＮＡマッチング手続１１００を実施することができる。また、いくつかの実施形態では、サービングセルがシステム情報において、２つ以上のＲ＿Ｃｅｌｌｉｄｅｎｔｉｔｙ（各々がＰＬＭＮ識別、Ｒ＿ＰＬＭＮと関連して）、２つ以上のＲ＿ＲＡＮＡＣ、または２つ以上のＲ＿ＴＡＩをブロードキャストすることができる。
【００９１】
Ｅｖｅｎｔ＃２−１では、ＵＥは、サービングセルによって提供されるＲ＿Ｃｅｌｌｉｄｅｎｔｉｔｙの中で一致するセルアイデンティティを見つけた場合、サービングセルをＵＥのＲＮＡに位置するとみなしてもよい。そうでない場合、サービングセルは、ＵＥのＲＮＡの外にあるとみなされる。いくつかの実施形態では、サービングセルは、一つのＰＬＭＮアイデンティティ（Ｒ＿ＰＬＭＮ）と関連するセルアイデンティティをブロードキャストし得る。ＵＥのＲＮＡ構成では、各セルアイデンティティが１つのＰＬＭＮアイデンティティに関連付けられてもよい。そのような場合、ＵＥは、Ｒ＿Ｃｅｌｌｉｄｅｎｔｉｔｙおよび（Ｒ＿Ｃｅｌｌｉｄｅｎｔｉｔｙと関連して同じくブロードキャストされている）Ｒ＿ＰＬＭＮをＵＥのＲＮＡ構成と比較する必要があり得る。さらに、ＵＥは、サービングセルによってブロードキャストされるすべてのＲ＿Ｃｅｌｌｉｄｉｔｙに対してＥｖｅｎｔ＃２−１を実施する必要がある。
【００９２】
Ｅｖｅｎｔ＃２−２では、ＵＥは、サービングセルによって提供されるＲ＿ＲＡＮＡＣおよびＲ＿ＴＡＩの中で一致するＲＡＮエリアＩＤを見つけた場合、サービングセルをＵＥのＲＮＡに位置するとみなしてもよい。そうでない場合、つまり、（ＰＬＭＮアイデンティティに関連する）セルアイデンティティも（ＰＬＭＮアイデンティティに関連する）ＴＡＣも、ＵＥのＲＮＡ構成と対応しない場合には、サービングセルは、ＵＥのＲＮＡの外にあるとみなされる。サービングセルは、ＲＡＮＡＣをブロードキャストすることができず、したがって、Ｒ＿ＲＡＮＡＣが存在しないことがあることに留意されたい。いくつかの実施形態では、１つのＲ＿ＲＡＮＡＣは、サービングセルからのブロードキャストメッセージ内の１つのＲ＿ＴＡＩ（１つのＰＬＭＮアイデンティティおよび１つのトラッキングエリアコード）に関連付けられる。対照的に、ＵＥのＲＮＡ構成では、各ＲＡＮＡＣはまた、１つのＰＬＭＮアイデンティティおよびトラッキングエリアコードに関連付けられ得る。したがって、ＲＮＡマッチング手続中に、ＵＥは、ＲＡＮエリアＩＤおよび関連するＴＡＩの両方を考慮する。さらに、ＵＥは、サービングセルによってブロードキャストされるすべてのＲ＿ＲＡＮＡＣおよびＲ＿ＴＡＩに対してＥｖｅｎｔ＃２−２を実施する必要があり得る。
【００９３】
Ｅｖｅｎｔ＃２−３において、ＵＥは、一致するトラッキングエリアＩＤを見つけた場合、サービングセルをＵＥのＲＮＡに位置するとみなしてもよい。そうでない場合、サービングセルは、ＵＥのＲＮＡの外にあるとみなされる。いくつかの他の実施形態では、１つのトラッキングエリアＩＤは、サービングセルからのブロードキャストメッセージ内の１つのＰＬＭＮアイデンティティに関連付けられる。さらに、ＵＥのＲＮＡ構成では、１つのトラッキングエリアＩＤは、１つの関連するＰＬＭＮアイデンティティを有する１つのＴＡＣをカバーすることができる。したがって、ＲＮＡマッチング手続中に、ＵＥは、ＴＡＣおよび関連するＰＬＭＮアイデンティティの両方を考慮して、一致するトラッキングエリアＩＤを見つけ出す。さらに、ＵＥは、サービングセルによってブロードキャストされるすべてのＲ＿ＴＡＩに対してＥｖｅｎｔ＃２−３を実施する必要があり得る。
【００９４】
ＵＥは、ＲＮＡ選択肢が変更されるときに、ＲＮＡマッチング手続におけるその振る舞いを変更することができることに留意されたい。
【００９５】
ケース３：動的ＲＮＡ選択肢変更。
【００９６】
ケース３では、ＲＲＣシグナリングに個々の「ＲＮＡ選択肢」ＩＥが存在しない可能性がある。代わりに、ＲＮＡ構成は、図１２のＲＮＡ構成１２００に示されるように、ＲＮＡ選択肢の情報をカバーし得る。
【００９７】
ＲＮＡＴｏＡｄｄＭｏｄＬｉｓｔを受信した後、ＵＥは、以下を実行してもよい。ＵＥが既存のＲＮＡ構成を有していないとき、ＵＥは、ＲＮＡＴｏＡｄｄＭｏｄＬｉｓｔを既存のＲＮＡ構成として採用し、ＲＮＡＴｏＡｄｄＭｏｄＬｉｓｔにおけるＲＮＡ選択肢を既存のＲＮＡ選択肢として採用してもよい。ＲＮＡＴｏＡｄｄＭｏｄＬｉｓｔにおけるＲＮＡ選択肢が既存のＲＮＡ構成のＲＮＡ選択肢である場合、ＵＥは、既存のＲＮＡ構成に新しいＲＮＡ構成を追加することができる。ＲＮＡＴｏＡｄｄＭｏｄＬｉｓｔにおけるＲＮＡ選択肢が既存のＲＮＡ構成のＲＮＡ選択肢でない場合、ＵＥは、既存のＲＮＡ構成を撤回し、次いで、この新しいＲＮＡＴｏＡｄｄＭｏｄＬｉｓｔを既存のＲＮＡ構成として採用し、ＲＮＡＴｏＡｄｄＭｏｄＬｉｓｔにおけるＲＮＡ選択肢を既存のＲＮＡ選択肢として採用することができる。
【００９８】
ＲＮＡＴｏＲｅｍｏｖｅＬｉｓｔは、除去する必要がある既存のＲＮＡ構成の部分を含む。ＲＮＡＴｏＲｅｍｏｖｅＬｉｓｔのフォーマットは、既存のＲＮＡ構成のＲＮＡ選択肢に従う。また、ＲＮＡＴｏＡｄｄＭｏｄＬｉｓｔおよびＲＮＡＴｏＲｅｍｏｖｅＬｉｓｔは、１つのＲＲＣメッセージに共存することができる。本実施形態では、ｇＮＢは、ＲＮＡＴｏＡｄｄＭｏｄＬｉｓｔにおけるＲＮＡ選択肢を指示する必要がある。したがって、ＵＥは、以下のＲＮＡ構成を復号する方法を知り得る。
【００９９】
いくつかの他の実施形態では、明示的なリリース指示が実行通知エリアＩＥ（例えば、ｒｅｌｅａｓｅａｌｌ）に含まれ得る。したがって、ＲＡＮ通知領域ＩＥが「ｒｅｌｅａｓｅａｌｌ」であるとき、ｇＮＢは、既存のＲＮＡ構成全体をリリースするようにＵＥに指示し得る。ｒｅｌｅａｓｅａｌｌ  ＩＥは、ｇＮＢがＲＮＡ選択肢を変更することなく既存のＲＮＡ構成全体をリリースするようにＵＥに指示することができるように、ＲＮＡＴｏＡｄｄＭｏｄＬｉｓｔで設定することができる。いくつかの実施形態では、更新されたＲＮＡ構成に明示的な「ｒｅｌｅａｓｅａｌｌ」ＩＥもＲＮＡＴｏＲｅｍｏｖｅＬｉｓｔ  ＩＥもないことがある。代わりに、ＲＮＡＴｏＡｄｄＭｏｄＬｉｓｔのみが、更新されたＲＮＡ構成において提供される。また、ＵＥは、ＲＮＡＴｏＡｄｄＭｏｄＬｉｓｔをＵＥコンテキストにおけるＲＮＡ構成として格納することによって、既存のＲＮＡ構成全体を直接上書きすることができる。
【０１００】
ケース３−１：複数のＲＮＡ選択肢が共存。
【０１０１】
前回の実施形態では、１つのＲＮＡ選択肢のみがＲＮＡ構成に提供されてもよい。ケース３−１では、ＲＮＡ構成は、セルアイデンティティリスト、ＲＡＮエリアＩＤリスト、トラッキングエリアＩＤリスト、またはそれらの任意の組合せによって構成することができる。図１３には、ＵＥのＲＮＡ構成が示されている。図１３に示されるように、１つのみのＲＮＡが構成され、このＲＮＡ構成は、５つのセル（セル＃１、＃２、＃３、＃４、および＃５）、１つのＲＮＡエリア（ＲＮＡエリア＃１）、および１つのトラッキングエリア（トラッキングエリア＃１）を含む。例えば、ＲＡＮは、ＵＥの移動履歴記録に基づいて、セルアイデンティティリスト、ＲＡＮエリアＩＤリスト、および／またはトラッキングエリアＩＤリストの任意の組合せを構成することができる。また、いくつかの実施形態において、図１３に示されるＲＮＡ構成は、様々なＰＬＭＮに関連するセル、ＲＮＡエリア、およびトラッキングエリアによって構成され得る。
【０１０２】
ＲＡＮにおいて、複数のセルは、システム情報（例えば、システム情報ブロックタイプ＃１、ＳＩＢ＃１）のブロードキャストを通じて、セルのセルアイデンティティ（各セルアイデンティティは１つのＰＬＭＮアイデンティティに関連付けられてもよい）と、ＲＡＮＡＣ（複数可）（任意選択）と、およびトラッキングエリアＩＤ（複数可）（各トラッキングエリアＩＤは１つのＰＬＭＮアイデンティティに関連付けられてもよい）とをブロードキャストしてもよい。したがって、ＵＥは、ＵＥのサービングセルからセルアイデンティティ（複数可）、ＲＡＮＡＣ（複数可）（任意選択）、およびトラッキングエリアＩＤ（複数可）を受信することができる。次いで、ＵＥは、Ｅｖｅｎｔ＃３−１、＃３−２、および＃３−３のうちの少なくとも１つを行うことができる。
【０１０３】
ＲＮＡマッチングに関して、Ｅｖｅｎｔ＃３−１において、ＵＥは、受信したセルアイデンティティを、ＲＮＡ構成に格納されたセルアイデンティティリストと比較する。セルがＳＩＢ＃１においてＲＡＮＡＣをブロードキャストする場合、ＵＥは、Ｅｖｅｎｔ＃３−２を実行することができる。Ｅｖｅｎｔ＃３−２において、ＵＥは、受信したＲＡＮＡＣおよびＴＡＩを、格納されたＲＮＡ構成内のＲＡＮエリアＩＤリストと比較することができる。Ｅｖｅｎｔ＃３−３において、ＵＥは、受信したトラッキングエリアＩＤを、ＲＮＡ構成内に格納されたトラッキングエリアＩＤリストと比較することができる。いくつかの実施形態では、セルアイデンティティ／ＲＡＮエリアＩＤ／ＴＡＩは、１つのＰＬＭＮアイデンティティに関連付けられ得る。これらの実施形態では、ＵＥは、関連するＰＬＭＮアイデンティティと共にＲＮＡマッチング手続を実施することができる。
【０１０４】
ＵＥは、以下を発見または判定する場合、サービングセルがＵＥのＲＮＡに属しているとみなすことができる：
（１）Ｏｕｔｃｏｍｅ＃１：Ｅｖｅｎｔ＃３−１を実施した後の、一致するセルアイデンティティ、あるいは
（２）Ｏｕｔｃｏｍｅ＃２：Ｅｖｅｎｔ＃３−２を実施した後の、一致するＲＡＮエリアＩＤ、あるいは
（３）Ｏｕｔｃｏｍｅ＃３：Ｅｖｅｎｔ＃３−３を実施した後の、一致するトラッキングエリアＩＤ。
【０１０５】
そうでない場合、ＵＥは、サービングセルがＵＥのＲＮＡの外にあるとみなし得る。
【０１０６】
いくつかの実施形態では、ＵＥは、以下を発見または判定する場合、サービングセルがＵＥのＲＮＡに属しているとみなすことができる：
（１）Ｏｕｔｃｏｍｅ＃１：Ｅｖｅｎｔ＃３−１を実施した後の、一致するセルアイデンティティ（関連するＰＬＭＮアイデンティティと共に）、
（２）Ｏｕｔｃｏｍｅ＃２：Ｅｖｅｎｔ＃３−２を実施した後の、一致するＲＡＮエリアＩＤ（関連するＰＬＭＮアイデンティティと共に）、あるいは
（３）Ｏｕｔｃｏｍｅ＃３：Ｅｖｅｎｔ＃３−３を実施した後の、一致するトラッキングエリアＩＤ（関連するＰＬＭＮアイデンティティと共に）
そうでない場合、ＵＥは、サービングセルがＵＥのＲＮＡの外にあるとみなし得る。
【０１０７】
いくつかの実施形態では、ＵＥは、以下のシーケンスのようにＲＮＡマッチング手続を実行することができる。第１に、ＵＥは、受信したトラッキングエリアＩＤを、格納されたＲＮＡ構成内のトラッキングエリアＩＤリストと比較する。ＵＥは、受信したトラッキングエリアＩＤがトラッキングエリアＩＤリストと一致すると判定した場合、サービングセルがＵＥのＲＮＡに属しているとみなす。受信されたトラッキングエリアＩＤが格納されたトラッキングエリアＩＤリストと一致しない場合、ＵＥは、サービングセルがＳＩＢ＃１においてＲＡＮＡＣをブロードキャストするかどうかをチェックする。受信されたＲＡＮＡＣおよびトラッキングエリアＩＤが格納されたＲＮＡ構成内のＲＡＮエリアＩＤリストと一致する場合、ＵＥは、サービングセルがＵＥのＲＮＡに属しているとみなす。サービングセルがＳＩＢ＃１においてＲＡＮＡＣをブロードキャストしない場合、ＵＥは受信したセルアイデンティティを保存されたＲＮＡ構成内のセルアイデンティティリストと比較する。受信されたセルアイデンティティが格納されたＲＮＡ構成内のセルアイデンティティリストと一致する場合、ＵＥは、サービングセルがＵＥのＲＮＡに属していると見なす。そうでない場合、ＵＥは、サービングセルをＵＥのＲＮＡの外にあるものとみなし得る。
【０１０８】
いくつかの実施形態では、ＵＥは、どのｅｖｅｎｔ（イベント）を最初に実施するかを決定することができる。図１３は、１つのＲＮＡ構成がセルアイデンティティリスト、ＲＡＮエリアＩＤリスト、および／またはトラッキングエリアＩＤリストの組み合わせであり得ることを示す。１つのＲＮＡ構成に共存する複数のＲＮＡ選択肢を実現するために、ＲＮＡＴｏＡｄｄＭｏｄＬｉｓｔおよびＲＮＡＴｏＲｅｍｏｖｅＬｉｓｔを図１４に示す。
【０１０９】
図１４に示されるように、ＲＮＡＴｏＡｄｄＭｏｄＬｉｓｔおよびＲＮＡＴｏＲｅｍｏｖｅＬｉｓｔの両方が、セルアイデンティティリスト、ＲＡＮエリアＩＤリスト、および／またはトラッキングエリアＩＤリストの異なる組み合わせを含み得ることは明らかである。さらに、ＲＮＡＴｏＡｄｄＭｏｄＬｉｓｔおよびＲＮＡＴｏＲｅｍｏｖｅＬｉｓｔは、１つのＲＲＣメッセージ内に共存することができる。他の実施形態では、明示的なリリース指示は、実行通知エリアＩＥ（例えば、ｒｅｌｅａｓｅａｌｌ）に含まれ得る。ＲＡＮ通知領域ＩＥが「ｒｅｌｅａｓｅ  ａｌｌ」であるとき、ｇＮＢはすべての既存のＲＮＡ構成をリリースするようにＵＥに指示することができる。ｒｅｌｅａｓｅａｌｌ  ＩＥは、ＲＮＡＴｏＡｄｄＭｏｄＬｉｓｔで設定することができる。したがって、ｇＮＢは、既存のＲＮＡ構成をリリースし、新しいＲＮＡ構成を同時に追加するようにＵＥに指示することができる。いくつかの実施形態では、更新されたＲＮＡ構成において、明示的な「ｒｅｌｅａｓｅａｌｌ」ＩＥもＲＮＡＴｏＲｅｍｏｖｅＬｉｓｔ  ＩＥもないことがある。代わりに、ＲＮＡＴｏＡｄｄＭｏｄＬｉｓｔのみが、更新されたＲＮＡ構成において提供される。また、ＵＥは、ＲＮＡＴｏＡｄｄＭｏｄＬｉｓｔをＵＥコンテキストにおけるＲＮＡ構成として格納することによって、既存のＲＮＡ構成全体を直接上書きすることができる。
【０１１０】
図１５は、本出願の例示的な実施形態による、ＵＥのハンドオーバ準備手続中に、ＲＲＣ接続状態にあるＵＥに対する既存のＲＮＡ構成が、バックホール接続を介してソースセルからターゲットセルに送信されることを示す図である。図１５において、ＵＥ１５０１は、ＲＲＣ接続状態にある。図１５において、ソースセル１５０３（またはソースセル１５０３に接続されたＣＮ）は、ＵＥ１５０１のためのハンドオーバ準備手続中にハンドオーバ手続をトリガすることを決定する（例えば、ハンドオーバ手続は、エアリンクにおけるＵＥの測定レポートに基づいてトリガされ得る）。次に、動作１５０２において、ソースセル１５０３は、ＵＥ１５０１のＵＥコンテキスト（ＡＳコンテキストおよびＮＡＳコンテキストを含み得る）と共に、ハンドオーバ要求を、専用制御信号（例えば、ハンドオーバ準備情報）内でターゲットセル１５０５に送信することができる。ハンドオーバ準備情報信号は、有線／無線バックホール接続を介して、またはソースセル１５０３およびターゲットセル１５０５に接続されたＣＮの中継器を介して配信され得る。さらに、ＵＥ１５０１の既存のＲＮＡ構成は、ターゲットセル１５０５へのハンドオーバ準備情報に含まれてもよい。したがって、ＵＥに対するＲＮＡ構成は、ハンドオーバ手続によって影響および作用を受けない。いくつかの実施形態では、ハンドオーバ準備手続中に複数のターゲットセルが存在し得る。したがって、ソースセルは、図１５に示す以下の手続に従って、ハンドオーバ準備情報を各ターゲットセルに送信する必要がある。
【０１１１】
いくつかの追加の実施形態では、図１５のハンドオーバ手続は、以下のハンドオーバシナリオに適用可能である：
ＲＡＴ内のハンドオーバ手続（ソースセル１５０３と標的セル１５０５とは、両方ともＮＲセルまたはＥ−ＵＴＲＡＮセルである）、
ＲＡＴ内のハンドオーバ手続（例えば、ソースセル１５０３はＮＲセルであり、標的セル１５０５はＥ−ＵＴＲＡＮセルである、またはその逆である）、
システム内のハンドオーバ手続（例えば、ソースセル１５０３はＥＰＣに接続されたＥ−ＵＴＲＡＮセルであり、標的セル１５０５は、５ＧＣに接続されたＥ−ＵＴＲＡＮセルである、またはその逆である）。
【０１１２】
図１６Ａは、本出願の例示的な実施形態による、ＵＥのためのＲＮＡ管理方法のフローチャートである。図１６Ａでは、フローチャート１６２０は、動作１６２２、１６２４、１６２６、１６２８、１６３０、および１６３２を含む。
【０１１３】
動作１６２２において、ＵＥは、第１ＲＮＡ構成を有する第１ＲＲＣメッセージ（例えば、ＲＲＣ接続中断メッセージまたはＲＮＡ更新応答メッセージ）を受信してもよい。第１ＲＮＡ構成は、複数のセルアイデンティティ（複数のＩＤ）のリスト、複数のＲＡＮエリアコードのリスト、または複数のトラッキングエリアコード（複数のＴＡＣ）のリストのうちの少なくとも１つを備える。
【０１１４】
動作１６２４において、ＵＥは、ＲＲＣ接続状態、ＲＲＣ非アクティブ状態、またはＲＲＣ非アクティブ状態とＲＲＣ接続状態との間の遷移にあるときに、第１ＲＮＡ構成を（例えば、ＡＳコンテキスト内に）格納してもよい。
【０１１５】
動作１６２６において、ＵＥは、ＲＲＣ非アクティブ状態にあるとき、第１ＲＮＡ構成に基づいてＲＮＡ更新手続を適用してもよい。
【０１１６】
動作１６２８において、ＵＥは、（例えば、ＡＳコンテキスト内の）第２ＲＮＡ構成を有する第２ＲＲＣメッセージを受信してもよい。第２ＲＮＡ構成は、第１ＲＮＡ構成に追加される１つまたは複数のセルアイデンティティ（ＩＤ）、第１ＲＮＡ構成に追加される１つまたは複数のＲＡＮエリアコード、あるいは、第１ＲＮＡ構成に追加される１つまたは複数のＴＡＣのうちの少なくとも１つ、および／または、第１ＲＮＡ構成から削除される１つまたは複数のセルアイデンティティ（ＩＤ）、第１ＲＮＡ構成から削除される１つまたは複数のＲＡＮエリアコード、あるいは、第１ＲＮＡ構成から削除される１つまたは複数のＴＡＣのうちの少なくとも１つを備える。
【０１１７】
動作１６３０において、ＵＥは、（ＡＳコンテキスト内に格納される）第３ＲＮＡ構成を形成するように、第２ＲＮＡ構成に基づいて（デルタシグナリングまたは上書きによって）第１ＲＮＡ構成を更新してもよい。
【０１１８】
動作１６３２において、ＵＥは、ＲＲＣ非アクティブ状態にあるときに、第３ＲＮＡ構成に基づいてＲＮＡ更新手続を適用してもよい。
【０１１９】
図１６Ｂは、本出願の例示的な実施形態による、基地局のためのＲＮＡ管理方法のフローチャートである。図１６Ｂでは、フローチャート１６４０は、動作１６４２、１６４４、１６４６、１６４８、１６５０、１６５２、および１６５４を含む。
【０１２０】
動作１６４２において、基地局は、ＵＥのための第１ＲＮＡ構成を構成してもよい。第１ＲＮＡ構成は、複数のセルアイデンティティ（複数のＩＤ）のリスト、複数のＲＡＮエリアコードのリスト、または複数のトラッキングエリアコード（複数のＴＡＣ）のリストのうちの少なくとも１つを備える。
【０１２１】
動作１６４４において、基地局は、第１ＲＲＣメッセージ（例えば、ＲＲＣ接続中断メッセージまたはＲＮＡ更新応答メッセージ）を介してＵＥに第１ＲＮＡ構成を送信してもよい。
【０１２２】
動作１６４６において、基地局は、（例えば、ＡＳコンテキスト内に）第１ＲＮＡ構成を格納してもよい。
【０１２３】
動作１６４８において、基地局は、ＵＥがＲＲＣ非アクティブ状態にあるとき、第１ＲＮＡ構成に基づいてＲＡＮページング手続を適用してもよい。
【０１２４】
動作１６５０において、基地局は、第２ＲＮＡ構成を有する第２ＲＲＣメッセージを送信してもよい。第２ＲＮＡ構成は、第１ＲＮＡ構成に追加される１つまたは複数のセルアイデンティティ（ＩＤ）、第１ＲＮＡ構成に付加される１つまたは複数のＲＡＮエリアコード、あるいは、第１のＲＮＡ構成に付加される１つまたは複数のＴＡＣのうちの少なくとも１つ、および／または、第１ＲＮＡ構成から除去される１つまたは複数のセルアイデンティティ（ＩＤ）、第１ＲＮＡ構成から除去される１つまたは複数のＲＡＮエリアコード、あるいは、第１ＲＮＡ構成から除去される１つまたは複数のＴＡＣのうちの少なくとも１つを含む。
【０１２５】
動作１６５２において、基地局は、（ＡＳコンテキスト内に格納される）第３ＲＮＡ構成を形成するように、第２ＲＮＡ構成に基づいてＵＥの第１ＲＮＡ構成を（デルタシグナリングまたは上書きによって）更新してもよい。
【０１２６】
動作１６５４において、基地局は、ＵＥがＲＲＣ非アクティブ状態にあるとき、第３ＲＮＡ構成に基づいてＲＡＮページング手続を適用してもよい。
【０１２７】
図１７は、本出願の様々な態様による、無線通信のためのノードのブロック図を示す。図１７に示すように、ノード１７００は、トランシーバ１７２０、プロセッサ１７２６、メモリ１７２８、ひとつまたは複数の表示コンポーネント１７３４、および少なくとも一つのアンテナ１７３６を備える。ノード１７００はまた、無線周波数（ＲＦ）スペクトル帯域モジュール、基地局通信モジュール、ネットワーク通信モジュール、およびシステム通信管理モジュール、入力／出力（Ｉ／Ｏ）ポート、Ｉ／Ｏコンポーネント、および電源（図１７には明示的に示されていない）を含み得る。これらの構成要素のそれぞれは、１つまたは複数のバス１７４０を介して、直接または間接的に、互いに通信することができる。
【０１２８】
送信機１７２２および受信機１７２４を備えるトランシーバ１７２０は、時間および／または周波数リソース分割情報を送信および／または受信するように構成され得る。いくつかの実施形態では、トランシーバ１７２０は、使用可能、使用不可能、および柔軟に使用可能なサブフレームおよびスロットフォーマットを含むが、これらに限定されない、異なるタイプのサブフレームおよびスロットで送信するように構成され得る。トランシーバ１７２０は、データおよび制御チャネルを受信するように構成され得る。
【０１２９】
ノード１７００は、様々なコンピュータ可読媒体を備えることができる。コンピュータ可読媒体は、ノード１７００によってアクセスすることができ、揮発性および不揮発性媒体、リムーバブルおよび非リムーバブル媒体の両方を含む、任意の利用可能な媒体とすることができる。限定ではなく例として、コンピュータ可読媒体は、コンピュータ記憶媒体および通信媒体を含むことができる。コンピュータ記憶媒体は、コンピュータ読み取り可能命令、データ構造、プログラムモジュール、または他のデータなどの情報を記憶するための任意の方法または技術で実装される、揮発性および不揮発性、リムーバブルおよび非リムーバブル媒体の両方を含む。
【０１３０】
コンピュータ記憶媒体は、ＲＡＭ、ＲＯＭ、ＥＥＰＲＯＭ、フラッシュメモリまたは他のメモリ技術、ＣＤ−ＲＯＭ、デジタル多用途ディスク（ＤＶＤ）または他の光ディスク記憶装置、磁気カセット、磁気テープ、磁気ディスク記憶装置または他の磁気記憶装置を含む。コンピュータ記憶媒体は、伝播データ信号を含まない。通信媒体は、典型的には、コンピュータ読み取り可能命令、データ構造、プログラムモジュール、または他のデータを、搬送波または他のトランスポート機構などの変調データ信号で具現化し、任意の情報配信媒体を含む。用語「変調されたデータ信号」は、その特性のうちの１つまたは複数が、信号内の情報を符号化するように設定または変更された信号を意味する。限定ではなく例として、通信媒体は、有線ネットワークまたは直接有線接続などの有線媒体と、音響、ＲＦ、赤外線、および他の無線媒体などの無線媒体とを含む。上記のいずれかの組合せも、コンピュータ可読媒体の範囲内に含まれるべきである。
【０１３１】
メモリ１７２８は、揮発性および／または不揮発性メモリの形態のコンピュータ記憶媒体を含むことができる。メモリ１７２８は、取り外し可能、取り外し不能、またはそれらの組み合わせであってもよい。例示的なメモリは、ソリッドステートメモリ、ハードドライブ、光ディスクドライブなどを含む。図１７に示すように、メモリ１７２８は、実行されると、プロセッサ１７２６に、例えば、図１から図１６Ｂを参照して本明細書で説明する様々な機能を実行させるように構成されたコンピュータ可読コンピュータ実行可能命令１７３２（例えば、ソフトウェアコード）を格納することができる。あるいは、命令１７３２は、プロセッサ１７２６によって直接実行可能ではなく、ノード１７００に（例えば、コンパイルされ実行されるときに）本明細書で説明される様々な機能を実行させるように構成されてもよい。
【０１３２】
プロセッサ１７２６は、インテリジェントハードウェアデバイス、例えば、中央処理装置（ＣＰＵ）、マイクロコントローラ、ＡＳＩＣなどを含み得る。プロセッサ１７２６は、メモリを含むことができる。プロセッサ１７２６は、メモリ１７２８から受信したデータ１７３０および命令１７３２、ならびにトランシーバ１７２０、ベースバンド通信モジュール、および／またはネットワーク通信モジュールを介した情報を処理することができる。プロセッサ１７２６は、また、トランシーバ１７２０に送信され、アンテナ１７３６を介して、コアネットワークへの送信のためにネットワーク通信モジュールに送信すべき情報を処理することができる。
【０１３３】
１つまたは複数の表示コンポーネント１７３４は、個人または他のデバイスにデータ表示を提示する。例示的な１つまたは複数の表示コンポーネント１７３４は、表示デバイス、スピーカー、印刷コンポーネント、振動コンポーネントなどを含む。
【０１３４】
上記の説明から、様々な技術が、これらの概念の範囲から逸脱することなく、本出願で説明される概念を実行するために使用され得ることが明らかである。さらに、概念は、特定の実施形態を特に参照して説明されてきたが、当業者は、それらの概念の範囲から逸脱することなく、形態および詳細において変更を行うことができることを認識し得る。したがって、説明された実施形態は、すべての点において、例示的なものであり、限定的なものではないと考えられるべきである。また、本出願は、上述の特定の実施形態に限定されるものではなく、本開示の範囲から逸脱することなく、多くの再構成、修正、および置換が可能であることを理解されたい。
【図面の簡単な説明】
【０１３５】
【図１】本出願の例示的な実施形態による、第１ＲＮＡ中のアンカーｇＮＢから第２ＲＮＡ中の単一のアシスタントｇＮＢを通って第２ＲＮＡ中のターゲットｇＮＢに向かって移動するＲＲＣ＿ＩＮＡＣＴＩＶＥ  ＵＥの概略図を示す。
【図２】本出願の例示的な実施形態による、次世代無線アクセスネットワーク内でＵＥが受けることができる様々なＲＲＣ状態遷移手続を示すＲＲＣ状態遷移図である。
【図３Ａ】本出願の例示的な実施形態による、ＵＥ側およびサービングセル側の両方でＵＥコンテキストの一部としてＲＮＡ選択肢およびＲＮＡ構成を格納するための、２ステップランダムアクセス手続によって達成されるＲＲＣ再開手続を示す図である。
【図３Ｂ】本出願の例示的な実施形態による、ＵＥ側およびサービングセル側の両方でＵＥコンテキストの一部としてＲＮＡ選択肢およびＲＮＡ構成を格納するための、４ステップランダムアクセス手続によって達成されるＲＲＣ再開手続を示す図である。
【図３Ｃ】本出願の例示的な実施形態による、ＵＥ位置に関する既存のＲＮＡと更新されたＲＮＡとの間の重複部分を示す図である。
【図４】本出願の例示的な実施形態による、既存のＲＮＡ構成を有するＲＲＣ非アクティブ状態に遷移するＵＥと、ＲＲＣ状態遷移および複数のサービングｇＮＢの変化に関わらず、ＲＮＡ構成を再利用するための手続との一実施例を示す図である。
【図５】本出願の例示的な実施形態による、ＲＡＮ内の他方のｇＮＢとのＲＲＣ接続状態に遷移する、ＲＡＮ内の一方のｇＮＢによって接続および提供されるＵＥと、ＲＲＣ接続／非アクティブ状態遷移およびサービングｇＮＢの変化に関わらず、ＲＮＡ構成を再使用するための手続との一実施例を示す図である。
【図６】本出願の例示的な実施形態による、ＵＥ、ＲＡＮ、およびＣＮの間の関係と、ＣＮが既存のＲＮＡ選択肢およびＲＮＡ構成に基づいて更新されたトラッキングエリア構成を提供するための手続とを示す図である。上記関係において、ＣＮは、トラッキングエリア構成（例えば、ＴＡＩ（トラッキングエリア識別子）、またはトラッキングエリアＩＤとして既知のもの ）を更新するようにＵＥに指示するために、バックホール接続を介してＵＥコンテキストを取得する。
【図７】本出願の例示的な実施形態による、トラッキングエリア構成の一実施例を示す図である。
【図８】本出願の例示的な実施形態による、ＲＮＡ選択肢およびＲＮＡ構成を有するＲＲＣリリースメッセージの一実施例を示す図である。
【図９】本出願の例示的な実施形態による、ＲＲＣリリースメッセージの一実施例を示す図である。
【図１０】本出願の例示的な実施形態による、ＲＮＡ構成更新のためのデルタシグナリングを適用するＲＲＣ再開応答の一実施例を示す図である。
【図１１】本出願の例示的な実施形態による、ＲＮＡマッチング手続を示す図である。
【図１２】本出願の例示的な実施形態による、ＲＮＡ構成の一実施例を示す図である。
【図１３】本出願の例示的な実施形態による、セルアイデンティティリスト、ＲＡＮエリアＩＤリスト、および／またはトラッキングエリアＩＤリストの任意の組合せを有するＲＮＡ構成の一実施例を示す図である。
【図１４】本出願の例示的な実施形態による、ＲＮＡＴｏＡｄｄＭｏｄＬｉｓｔおよびＲＮＡＴｏＲｅｍｏｖｅＬｉｓｔの一実施例を示す図である。
【図１５】本出願の例示的な実施形態による、ＵＥのハンドオーバ準備手続中に、ＲＲＣ接続状態にあるＵＥに対する既存のＲＮＡ構成が、バックホール接続を介してソースセルからターゲットセルに送信されることを示す図である。
【図１６Ａ】本出願の例示的な実施形態による、ＵＥのためのＲＮＡ管理方法のフローチャートである。
【図１６Ｂ】本出願の例示的な実施形態による、基地局のためのＲＮＡ管理方法のフローチャートである。
【図１７】本出願の様々な態様による、無線通信のためのノードのブロック図を示す。
【図１】
2021502785.tif 000003
【図２】
2021502785.tif 000004
【図３Ａ】
2021502785.tif 000005
【図３Ｂ】
2021502785.tif 000006
【図３Ｃ】
2021502785.tif 000007
【図４】
2021502785.tif 000008
【図５】
2021502785.tif 000009
【図６】
2021502785.tif 000010
【図７】
2021502785.tif 000011
【図８】
2021502785.tif 000012
【図９】
2021502785.tif 000013
【図１０】
2021502785.tif 000014
【図１１】
2021502785.tif 000015
【図１２】
2021502785.tif 000016
【図１３】
2021502785.tif 000017
【図１４】
2021502785.tif 000018
【図１５】
2021502785.tif 000019
【図１６Ａ】
2021502785.tif 000020
【図１６Ｂ】
2021502785.tif 000021
【図１７】
2021502785.tif 000022
【国際調査報告】
2021502785.tif 000023